(57)【要約】ネットワークエンティティから、ＰＬＭＮ識別子のリストを受信することと、ＰＬＭＮ識別子のリストからの少なくとも１つのＰＬＭＮ識別子を使用して、ＵＥをネットワークに登録しようとすることと、ネットワークに登録する試行が成功した場合、ＰＬＭＮ識別子に関連付けられたインターネットプロトコル（ＩＰ）マルチメディアサブシステム（ＩＭＳ）へのセッション開始プロトコル（ＳＩＰ）登録を実施することとを含むユーザ機器（ＵＥ）において公衆陸上移動ネットワーク（ＰＬＭＮ）を選択する方法。【選択図】図２
2021503822.tif 000002
【特許請求の範囲】
【請求項１】
ユーザ機器（ＵＥ）において公衆陸上移動ネットワーク（ＰＬＭＮ）を選択する方法であって、前記方法は、
ネットワークエンティティから、ＰＬＭＮ識別子のリストを受信することと、
前記ＰＬＭＮ識別子のリストからの少なくとも１つのＰＬＭＮ識別子を使用して、前記ＵＥをネットワークに登録しようとすることと、
前記ネットワークに登録する前記試行が成功した場合、前記ＰＬＭＮ識別子に関連付けられたインターネットプロトコル（ＩＰ）マルチメディアサブシステム（ＩＭＳ）へのセッション開始プロトコル（ＳＩＰ）登録を実施することと
を含む、方法。
【請求項２】
前記受信することに先立って、
第１のトリガ条件が満たされたことを決定することと、
前記ネットワークエンティティにメッセージを伝送することと
をさらに含み、
前記メッセージは、前記第１のトリガ条件が満たされたという指示および前記ＵＥの場所情報のうちの少なくとも１つを備えている、請求項１に記載の方法。
【請求項３】
前記ＩＭＳは、ミッションクリティカル（ＭＣ）システムに関連付けられている、請求項１に記載の方法。
【請求項４】
前記ＭＣシステムは、パートナーＭＣシステムであり、前記ＵＥの一次ＭＣシステムとは異なるパートナーＭＣシステムである、請求項３に記載の方法。
【請求項５】
前記ＵＥのユニバーサル集積回路カード（ＵＩＣＣ）のアプリケーションにおいて前記少なくとも１つのＰＬＭＮ識別子を記憶することをさらに含む、請求項１に記載の方法。
【請求項６】
ＰＬＭＮ識別子のサブセットを作成することをさらに含み、前記サブセットは、前記ＰＬＭＮ識別子のリストからの前記ユーザ機器に利用可能であるＰＬＭＮ識別子を備えている、請求項１に記載の方法。
【請求項７】
前記登録しようとすることは、登録が成功するまで、前記サブセットからの各ＰＬＭＮ識別子を連続的に使用する、請求項６に記載の方法。
【請求項８】
前記第１のトリガ条件は、前記ＵＥがＰＬＭＮを変更すること、タイマが満了すること、前記ＵＥのＰＬＭＮが前記ＵＥに利用可能でなくなること、および、前記ＵＥがパートナーＭＣシステムへの移行を実施するための指示を受信することのうちの少なくとも１つである、請求項２に記載の方法。
【請求項９】
前記記憶することに先立って、前記ＵＥのユニバーサル携帯電話通信システム（ＵＭＴＳ）サブスクライバ識別モジュール（ＵＳＩＭ）が、ＰＬＭＮ識別子がデータ投入されることが可能な少なくとも１つのフィールドを有することを決定することをさらに含む、請求項５に記載の方法。
【請求項１０】
前記作成することに先立って、前記ＵＥのユニバーサル携帯電話通信システム（ＵＭＴＳ）サブスクライバ識別モジュール（ＵＳＩＭ）が、ＰＬＭＮ識別子がデータ投入されることが可能な少なくとも１つのフィールドを有していないことを決定することをさらに含む、請求項６に記載の方法。
【請求項１１】
ユーザ機器（ＵＥ）であって、前記ＵＥは、
プロセッサと、
通信サブシステムと
を備え、
前記プロセッサと前記通信サブシステムとは、
ネットワークエンティティから、ＰＬＭＮ識別子のリストを受信することと、
前記ＰＬＭＮ識別子のリストからの少なくとも１つのＰＬＭＮ識別子を使用して、前記ＵＥをネットワークに登録しようとすることと、
前記ネットワークに登録する前記試行が成功した場合、前記ＰＬＭＮ識別子に関連付けられたインターネットプロトコル（ＩＰ）マルチメディアサブシステム（ＩＭＳ）へのセッション開始プロトコル（ＳＩＰ）登録を実施することと
を行うために協力する、ＵＥ。
【請求項１２】
前記プロセッサと前記通信サブシステムとは、前記受信することに先立って、
第１のトリガ条件が満たされたことを決定することと、
前記ネットワークエンティティにメッセージを伝送することと
を行うためにさらに協力し、
前記メッセージは、前記第１のトリガ条件が満たされたという指示および前記ＵＥの場所情報のうちの少なくとも１つを備えている、請求項１１に記載のＵＥ。
【請求項１３】
前記プロセッサと前記通信サブシステムとは、前記ＵＥのユニバーサル集積回路カード（ＵＩＣＣ）のアプリケーションにおいて前記少なくとも１つのＰＬＭＮ識別子を記憶するためにさらに協力する、請求項１１に記載のＵＥ。
【請求項１４】
前記プロセッサと前記通信サブシステムとは、ＰＬＭＮ識別子のサブセットを作成するためにさらに協力し、前記サブセットは、前記ＰＬＭＮ識別子のリストからの前記ユーザ機器に利用可能であるＰＬＭＮ識別子を備えている、請求項１１に記載のＵＥ。
【請求項１５】
前記登録しようとすることは、登録が成功するまで、前記サブセットからの各ＰＬＭＮ識別子を連続的に使用する、請求項１４に記載のＵＥ。
【請求項１６】
ネットワーク要素における方法であって、前記方法は、
ユーザ機器（ＵＥ）から、メッセージを受信することであって、前記メッセージは、前記ＵＥがパートナーＭＣシステムに移行することを望むことの指示および前記ＵＥの場所のうちの少なくとも１つを備えている、ことと、
公衆陸上移動ネットワーク（ＰＬＭＮ）識別子のリストを決定することであって、各ＰＬＭＮ識別子は、前記パートナーＭＣシステムに関連付けられたＰＬＭＮを識別する、ことと、
前記ＰＬＭＮ識別子のリストを前記ＵＥに伝送することと
を含む、方法。
【請求項１７】
前記メッセージは、前記ＭＣ  ＵＥのための場所情報を備えている、請求項１６に記載の方法。
【請求項１８】
前記メッセージは、前記ＵＥにおいて利用可能であるＰＬＭＮのリストを備えている、請求項１６に記載の方法。
【請求項１９】
前記ネットワーク要素は、前記ＵＥのための一次ＭＣシステムの一部である、請求項１６に記載の方法。
【請求項２０】
前記パートナーＭＣシステムへの前記ＵＥのアクセスを可能にするための要求を前記パートナーＭＣシステムのサーバに送信することをさらに含む、請求項１９に記載の方法。
【請求項２１】
前記要求は、前記ＵＥに関連付けられたＭＣ  ＩＤ、前記一次ＭＣシステムの移行管理サーバの識別子、前記一次ＭＣシステムのセッション開始プロトコル（ＳＩＰ）識別、および、
前記ＵＥに利用可能であるＰＬＭＮおよび無線アクセス技術（ＲＡＴ）の指示のうちの少なくとも１つを備えている、請求項２０に記載の方法。
【請求項２２】
前記パートナーＭＣシステムのサーバから、前記ＰＬＭＮ識別子のリストを受信することをさらに含む、請求項２０に記載の方法。
【請求項２３】
前記ＭＣ  ＵＥのための場所情報に基づいて、前記パートナーＭＣシステムを決定することをさらに含む、請求項１６に記載の方法。
【発明の詳細な説明】
【背景技術】
【０００１】
第３世代パートナーシッププロジェクト（３ＧＰＰ）では、ミッションクリティカルプッシュ・トゥ・トーク（ＭＣＰＴＴ）、ミッションクリティカルビデオ（ＭＣビデオ）、ミッションクリティカルデータ（ＭＣデータ）等の複数の３ＧＰＰミッションクリティカル（ＭＣ）サービスが、定義されている。
【０００２】
ＭＣサービスは、セキュリティ、警察、消防および救助サービス等の公共安全または政府機関のみならず、公益事業会社、輸送会社等を含む商業組織等の組織によって使用されるように意図されている。
【０００３】
一次ＭＣシステムに接続されるユーザ機器（ＵＥ）は、ある条件においてパートナーＭＣシステムに移行する必要があり得る。しかしながら、ある場合、公衆陸上移動ネットワーク（ＰＬＭＮ）に接続するためのＵＥのデフォルト機構は、パートナーＭＣシステムへの接続性を提供することができないＰＬＭＮをＵＥに選択させる。
【発明の概要】
【課題を解決するための手段】
【０００４】
本開示は、ユーザ機器（ＵＥ）において公衆陸上移動ネットワーク（ＰＬＭＮ）を選択する方法を提供し、方法は、ネットワークエンティティから、ＰＬＭＮ識別子のリストを受信することと、ＰＬＭＮ識別子のリストからの少なくとも１つのＰＬＭＮ識別子を使用して、ＵＥをネットワークに登録しようとすることと、ネットワークに登録する試行が成功した場合、ＰＬＭＮ識別子に関連付けられたインターネットプロトコル（ＩＰ）マルチメディアサブシステム（ＩＭＳ）へのセッション開始プロトコル（ＳＩＰ）登録を実施することとを含む。
【０００５】
本開示は、プロセッサと、通信サブシステムとを備えている、ユーザ機器（ＵＥ）をさらに提供し、プロセッサと通信サブシステムとは、協力して、ネットワークエンティティから、ＰＬＭＮ識別子のリストを受信し、ＰＬＭＮ識別子のリストからの少なくとも１つのＰＬＭＮ識別子を使用して、ＵＥをネットワークに登録しようとし、ネットワークに登録する試行が成功した場合、ＰＬＭＮ識別子に関連付けられたインターネットプロトコル（ＩＰ）マルチメディアサブシステム（ＩＭＳ）へのセッション開始プロトコル（ＳＩＰ）登録を実施する。
【０００６】
本開示は、ユーザ機器（ＵＥ）のプロセッサによる実行のためのコンピュータ実行可能コードを記憶している、非一過性のコンピュータ読み取り可能な媒体をさらに提供し、コードは、ネットワークエンティティから、ＰＬＭＮ識別子のリストを受信するための命令と、ＰＬＭＮ識別子のリストからの少なくとも１つのＰＬＭＮ識別子を使用して、ＵＥをネットワークに登録しようとするための命令と、ネットワークに登録する試行が成功した場合、ＰＬＭＮ識別子に関連付けられたインターネットプロトコル（ＩＰ）マルチメディアサブシステム（ＩＭＳ）へのセッション開始プロトコル（ＳＩＰ）登録を実施するための命令とを備えている。
【０００７】
本開示は、ネットワーク要素における方法をさらに提供し、方法は、ユーザ機器（ＵＥ）から、ＵＥがパートナーＭＣシステムに移行することを望むことの指示およびＵＥの場所のうちの少なくとも１つを備えている、メッセージを受信することと、公衆陸上移動ネットワーク（ＰＬＭＮ）識別子のリストを決定することであって、各ＰＬＭＮ識別子は、パートナーＭＣシステムに関連付けられたＰＬＭＮを識別する、ことと、ＰＬＭＮ識別子のリストをＵＥに伝送することとを含む。
【０００８】
本開示は、ユーザ機器（ＵＥ）における方法をさらに提供し、方法は、ミッションクリティカル（ＭＣ）サービスのための１つ以上の公衆陸上移動ネットワーク（ＰＬＭＮ）識別子を検出することと、ＭＣサービスにアクセスするためのＰＬＭＮ選択の必要性を決定することと、現在の登録公衆陸上移動ネットワーク（ＲＰＬＭＮ）の第１の値および現在のＰＬＭＮ選択モードの第２の値を記憶することと、ＰＬＭＮ選択の自動モードに入ることと、ＰＬＭＮを選択することであって、選択されたＰＬＭＮの識別子は、ＭＣサービスのＰＬＭＮ識別子に由来する、こととを含む。
【図面の簡単な説明】
【０００９】
本開示は、図面を参照してより深く理解されるであろう。
【００１０】
【図１】図１は、パケットデータネットワークに接続するユーザ機器を図示する略図である。
【００１１】
【図２】図２は、本開示の少なくとも１つの実施形態による方法のフロー図である。
【００１２】
【図３】図３は、本開示の少なくとも１つの実施形態による方法のフロー図である。
【００１３】
【図４】図４は、本開示の少なくとも１つの実施形態による方法のメッセージフロー図である。
【００１４】
【図５】図５は、本開示の少なくとも１つの実施形態による方法のメッセージフロー図である。
【００１５】
【図６】図６は、本開示の少なくとも１つの実施形態による方法のメッセージフロー図である。
【００１６】
【図７】図７は、本開示の少なくとも１つの実施形態による方法のメッセージフロー図である。
【００１７】
【図８】図８は、本開示の少なくとも１つの実施形態による方法のメッセージフロー図である。
【００１８】
【図９】図９は、本開示の少なくとも１つの実施形態による方法のメッセージフロー図である。
【００１９】
【図１０】図１０は、本開示の少なくとも１つの実施形態によるユーザ機器のブロック図である。
【００２０】
【図１１】図１１は、本開示の少なくとも１つの実施形態によるネットワーク要素のブロック図である。
【００２１】
【図１２Ａ】図１２Ａは、本開示の少なくとも１つの実施形態による方法のメッセージフロー図である。
【００２２】
【図１２Ｂ】図１２Ｂは、本開示の少なくとも１つの実施形態による方法のメッセージフロー図である。
【発明を実施するための形態】
【００２３】
本開示における例は、ロングタームエボリューション（ＬＴＥ）、拡張型パケットシステム（ＥＰＳ）および拡張型ユニバーサル携帯電話通信システム（ＵＭＴＳ）地上波無線アクセスネットワーク（Ｅ−ＵＴＲＡＮ）例に特化しているが、本明細書に説明される方法、デバイス、およびシステムは、これらのシステムまたは無線アクセス技術に限定されず、他のシステムまたは無線アクセス技術でも再利用され得ることに留意されたい。例えば、本明細書に説明される方法、デバイス、およびシステムは、限定ではないが、３ＧＰＰ汎用パケット無線サービス（ＧＰＲＳ）グローバルエボリューション用拡張型データレート（ＥＤＧＥ）無線アクセスネットワーク（ＧＥＲＡＮ）、ＵＴＲＡＮ、２Ｇまたは３Ｇコアネットワーク、３ＧＰＰ  ５Ｇ、３ＧＰＰ新規無線を含むシステムと共に使用され得る。電気電子技術者協会（ＩＥＥＥ）システム等の非３ＧＰＰシステムも、除外されない。
【００２４】
ＬＴＥネットワークは、ＬＴＥ無線ネットワークおよび拡張型パケットコア（ＥＰＣ）から成り、それらは、一緒に、拡張型パケットシステム（ＥＰＳ）として知られている。５Ｇシステムに関して、それは、次世代（ＮＧ）無線およびＮＧコアネットワークの一方または両方から成る。ＥＰＳ／５Ｇシステムは、ホーム公衆陸上移動ネットワーク（ＨＰＬＭＮ）のみから、または、ＨＰＬＭＮおよび訪問先公衆陸上移動ネットワーク（ＶＰＬＭＮ）から成り得る。ＶＰＬＭＮは、ＵＥのＨＰＬＭＮまたは同等ＨＰＬＭＮ（ＥＨＰＬＭＮ）ではない公衆陸上移動ネットワーク（ＰＬＭＮ）である。
【００２５】
ＵＥは、ネットワーク選択を実施した後、ＥＰＳまたはＰＬＭＮにアタッチまたは登録する。ＵＥがＶＰＬＭＮにアタッチまたは登録するとき、これは、「ローミング」として知られている。用語「アタッチする」および「登録する」は、本開示では同義的に使用される。
【００２６】
ＵＥは、モバイルエンティティ（ＭＥ）およびユニバーサル集積回路カード（ＵＩＣＣ）から成る。ＵＩＣＣ上に常駐し、ユニバーサルサブスクライバ識別モジュール（ＵＳＩＭ）が存在する。ＵＳＩＭは、例えば、国際移動サブスクライバ識別（ＩＭＳＩ）を含むＥＰＳユーザまたはサブスクライバを一意かつ大域的に識別するデータと、セキュリティ関連データ、ＰＬＭＮセレクタリスト等の他のデータとを含む。ＵＳＩＭにおけるあるフィールドは、遠隔で構成可能および更新可能であり得る。ＵＳＩＭ上のフィールドを遠隔で更新するための典型的な機構は、「ＳＩＭ−ＯＴＡ」（Ｏｖｅｒ  Ｔｈｅ  Ａｉｒ［ＯＴＡ］、無線）であり、それは、ショートメッセージサービス（ＳＭＳ）メッセージをＭＥに送信することを典型的に伴い、メッセージは、ＵＩＣＣに透過的にデータを送信するようにＭＥにトリガする特殊ペイロードを含み、ＵＩＣＣは、ＵＩＣＣ上のＵＳＩＭアプリケーションにデータを書き込む。ＵＳＩＭフィールドが更新された後、ＵＩＣＣは、第３世代パートナーシッププロジェクト（３ＧＰＰ）技術仕様書（ＴＳ）３１．１１１、「Ｕｎｉｖｅｒｓａｌ  Ｓｕｂｓｃｒｉｂｅｒ  Ｉｄｅｎｔｉｔｙ  Ｍｏｄｕｌｅ  （ＵＳＩＭ）  Ａｐｐｌｉｃａｔｉｏｎ  Ｔｏｏｌｋｉｔ（ＵＳＡＴ）」、ｖ．１１．６．０（２０１３年７月）で定義されるように、リフレッシュコマンドをＭＥに送信し、それは、次に、ネットワーク選択を実行するように他のプロシージャをトリガし得る。
【００２７】
ＵＥは、（とりわけ、モバイル国コード（ＭＣＣ）、モバイルネットワークコード（ＭＮＣ）、全地球測位システム（ＧＰＳ）座標、場所エリアコード、追跡エリアコード、ルーティングエリアコード、ＰＬＭＮ識別子、サービスセット識別子（ＳＳＩＤ）を提供することによる等の）種々の手段を使用して、ネットワークにおける他のデバイスとその場所を共有し得るが、本開示は、そのように限定されない。さらに、本開示内の「場所」は、とりわけ、ＭＣＣ、ＭＮＣ、ＧＰＳ座標、場所エリアコード、追跡エリアコード、ルーティングエリアコード、ＰＬＭＮ識別子、ＳＳＩＤのうちのいずれかを指し得る。
【００２８】
３ＧＰＰシステムを介して、セルラーデータ接続性およびサービスを使用することを望むＵＥは、データネットワーク（ＤＮ）としても知られ得る１つ以上のパケットデータネットワーク（ＰＤＮ）を利用し得る。ＵＥは、ＥＰＳにおいて、ＰＤＮ接続を使用して、（例えば、シグナリングおよび制御プレーンデータ、ユーザプレーンデータ、音声メディア、および、ビデオメディアのような）ポイントツーポイントデータを伝送および受信する。拡張型ＵＭＴＳ地上波無線アクセスネットワーク（Ｅ−ＵＴＲＡＮ）およびＥＰＣは、セルラーオペレータに典型的に属するが、ＰＤＮは、オペレータまたは別のエンティティに属し得る。
【００２９】
用語「ＵＥ」および「ＭＥ」は、本開示内で同義的に使用される。ＭＥは、端末機器（ＴＥ）、端末アダプタ（ＴＡ）、およびモバイル端末（ＭＴ）を含み得る。本開示が、ＵＥが機能を果たすこと（例えば、ＰＬＭＮに登録またはアタッチすること）を
説明するとき、機能は、ＴＥ、ＴＡ、またはＭＴのうちのいずれか１つによって果たされ得る。
【００３０】
（ネットワーク選択およびＰＬＭＮセレクタリスト）
ＵＥがＬＴＥネットワークにアタッチすることができる前、ＵＥは、ＵＥがアタッチ／登録しようとするであろうＬＴＥネットワークまたはＰＬＭＮを選択する必要がある。ＵＥは、新しいＰＬＭＮを選択することを周期的に選定することもできる。ＵＥによるネットワーク選択のプロセスは、３ＧＰＰ  ＴＳ  ３１．１０２、「Ｃｈａｒａｃｔｅｒｉｓｔｉｃｓ  ｏｆ  ｔｈｅ  ＵＳＩ  Ｍａｐｐｌｉｃａｔｉｏｎ」、バージョン１４．３．０（２０１６年６月）で定義されるように、２つのＰＬＭＮセレクタリストを利用し得る：オペレータ制御ＰＬＭＮセレクタリスト、およびユーザ制御ＰＬＭＮセレクタリスト。前者は、ＵＳＩＭが常駐するＵＩＣＣのプロビジョニングまたは製造時にＵＳＩＭ上に典型的に構成されるが、ＨＰＬＭＮによって（例えば、ＳＩＭ−ＯＴＡ機構によって）遠隔で更新されることもでき、後者は、例えば、ＵＥによって提供される（内側にＵＳＩＭのＵＩＣＣが挿入される）ユーザインターフェースを介して、ＵＳＩＭの実際のユーザによって構成可能である。ユーザ制御ＰＬＭＮセレクタリストは、ユーザのみによって修正されることができ、オペレータ制御ＰＬＭＮセレクタリストは、ＨＰＬＭＮのみによって修正されることができる。
【００３１】
ＵＥがユーザに提供し、ユーザが任意の時間に、それらの間で変化できるネットワーク選択の２つのモードがある：ＵＥがネットワークを自律的に選択する自動ネットワーク選択モード、および、ユーザインターフェースを介してＵＥによって提示される利用可能なＰＬＭＮのリストからユーザがネットワークを選択する手動ネットワーク選択モード。自動ネットワーク選択モードにおいて、ユーザ制御ＰＬＭＮセレクタリストにおいてリストアップされるＰＬＭＮが、オペレータ制御ＰＬＭＮセレクタリストにおいてのみリストアップされるそれらより選択される。手動ネットワーク選択モードにおいて、ユーザ制御ＰＬＭＮセレクタリストおよびオペレータ制御ＰＬＭＮセレクタリストは、選択に使用されないが、しかしながら、ユーザ制御ＰＬＭＮセレクタリストにリストアップされるＰＬＭＮが、オペレータ制御ＰＬＭＮセレクタリストのみでリストアップされるそれらより高い優先順位を伴ってユーザにリストアップされ得る。
【００３２】
ＵＥは、ＵＳＩＭ上のフィールドにおいて同等ＨＰＬＭＮ（ＥＨＰＬＭＮ）リストを伴って構成されることもある。ＥＨＰＬＭＮリストは、ネットワーク選択を実施するとき、ＵＥがそのＨＰＬＭＮと見なすべきである１つ以上の優先順位を付けられたＰＬＭＮ識別を含む。その結果として、ＥＨＰＬＭＮリストにおいて構成されるＰＬＭＮ識別は、ユーザ制御ＰＬＭＮ選択リストおよびオペレータ制御ＰＬＭＮセレクタリストにおいて構成されるＰＬＭＮ識別より優先される。
【００３３】
ＰＬＭＮが選択されると、ＵＥは、選択されたＰＬＭＮにアタッチまたは登録しようとする。自動選択モードにおいて、登録が失敗した場合、ＵＥは、異なる許可されたＰＬＭＮを選択し、登録が成功するか、または全ての利用可能なＰＬＭＮが試行されるかのいずれかまで、登録を再試行することができる。手動選択モードにおいて、登録が失敗した場合、ＵＥは、ＰＬＭＮを再選択するようにユーザをプロンプトすることができる。
【００３４】
ＵＥがＰＬＭＮへの成功した登録を実施した後、ＵＥは、異なる時間、または種々のイベントの発生時、登録ＰＬＭＮ（ＲＰＬＭＮ）から、ＵＥがＲＰＬＭＮと同等であると仮定すべきであるＰＬＭＮ識別のリストをダウンロードし得る。同等ＰＬＭＮリストは、専用ダウンリンクアタッチ容認メッセージにおいてＲＰＬＭＮからＵＥによって典型的に受信され、次いで、リストが受信されたＲＰＬＭＮの現在のＰＬＭＮ識別子とともに、ＭＥに記憶される。同等ＰＬＭＮリストにおける全てのＰＬＭＮは、ＰＬＭＮ選択、セル選択、ハンドオーバ等の目的のために、互いに同等、かつ現在のＲＰＬＭＮと同等と見なされる。
【００３５】
任意の時間、自動選択モードであるＵＥは、別の特定のＶＰＬＭＮを検索し、特定のＶＰＬＭＮが利用可能であり、移動が許可される場合、可能な限り早くそのＶＰＬＭＮに移動するように、そのＨＰＬＭＮによって命令されることができる。このＶＰＬＭＮは、次いで、オペレータによって定義されるような最高優先順位のＶＰＬＭＮと見なされるが、ユーザ制御ＰＬＭＮリスト上のＨＰＬＭＮ、ＥＨＰＬＭＮ、およびＰＬＭＮは、依然として、より高い優先順位を有する。これは、オペレータ制御ＰＬＭＮセレクタリストから取得される最高優先順位のＰＬＭＮを所望のＶＰＬＭＮと置換することによって典型的に達成される。
【００３６】
ある場合、ＵＥがローミングしており、ＶＰＬＭＮへの登録を試行するとき、ＶＰＬＭＮは、ＨＰＬＭＮから認証情報を要求する。ＨＰＬＭＮは、次いで、ＵＥ上にパスされる一時障害メッセージでＶＰＬＭＮに返信し得る。その時点で、ＵＥは、ＵＥが自動選択モードであるか、手動選択モードであるか等の要因に応じて、再度試行するか、または、新しいＶＰＬＭＮを選択し得る。
【００３７】
（ミッションクリティカルサービス）
３ＧＰＰでは、ミッションクリティカルプッシュ・トゥ・トーク（ＭＣＰＴＴ）、ミッションクリティカルビデオ（ＭＣビデオ）、ミッションクリティカルデータ（ＭＣデータ）等の複数の３ＧＰＰミッションクリティカル（ＭＣ）サービスが、定義される。
【００３８】
ミッションクリティカルサービスは、オンネットワーク通信およびオフネットワーク通信を利用することができる。オンネットワークＭＣ通信は、いくつかある接続タイプの中でも、ＥＰＳを介したＰＤＮ接続を経由して起動するように定義される一方、オフネットワーク通信は、ＵＥ間近接性サービスの使用に依拠する。オンネットワークＭＣ通信は、いくつかの通信のためにＩＰマルチメディア（コアネットワーク）サブシステム（ＩＭＳ）またはセッション開始プロトコル（ＳＩＰ）コアを利用し、したがって、ＭＣサービスＵＥは、ＭＣサービスの全ての側面を使用することが可能であるために、ＰＤＮ接続を設定した後、ＩＭＳ／ＳＩＰ登録を実施する必要がある。
【００３９】
オンネットワークミッションクリティカルのための一般的アーキテクチャは、例えば、３ＧＰＰ  ＴＳ  ２３．３８０、「Ｃｏｍｍｏｎ  ｆｕｎｃｔｉｏｎａｌ  ａｒｃｈｉｔｅｃｔｕｒｅ  ｔｏ  ｓｕｐｐｏｒｔ  ｍｉｓｓｉｏｎ  ｃｒｉｔｉｃａｌ  ｓｅｒｖｉｃｅｓ；Ｓｔａｇｅ  ２」、バージョン１４．１．０、（２０１６年１２月）で定義されている。
【００４０】
３ＧＰＰ  ＴＳ  ２３．３８０の第７．２および７．３節が、下で抜粋される。
【００４１】
【表１】
2021503822.tif 000003
【００４２】
ＭＣシステムは、システムの機能性を管理するための複数のサーバを典型的に備えている。そのようなサーバは、ＭＣサービスサーバ、グループ管理サーバ、構成管理サーバ、識別管理サーバ、キー管理サーバ、および場所管理サーバを含む。これらのサーバの各々は、ＭＣ  ＵＥ上で起動する対応クライアントを有し得る。例えば、ＭＣ  ＵＥは、ＭＣサービスクライアント、グループ管理クライアント、構成管理クライアント、識別管理クライアント、キー管理クライアント、および場所管理クライアントを備え得る。ＵＥ上に常駐するクライアントは、ＭＣサービスをＵＥユーザに提供するために、それらのそれぞれのサーバと協働するアプリケーションである。理解されるであろうように、各クライアントは、それ自身のアプリケーションにおいて実装されるか、または、一般的ＭＣアプリケーション内のモジュールとして実装され得る。少なくとも１つの実施形態において、ＭＣサービスクライアントは、ＭＣＰＴＴクライアント、ＭＣビデオクライアント、およびＭＣデータクライアントのうちの１つ以上のものを備え得る。
【００４３】
ミッションクリティカル組織は、それ自身のセルラーネットワークを起動することができるが、典型的に、ミッションクリティカル組織は、ＰＬＭＮオペレータのセルラーネットワーク、例えば、ＥＰＳを利用する。ミッションクリティカル組織がそのＭＣユーザまたはＭＣサービスユーザのために利用するＰＬＭＮは、以降ではミッションクリティカル組織のＨＰＬＭＮと称され、ＭＣサービスＵＥ内のＵＳＩＭにおけるデータによって識別されるＨＰＬＭＮである。
【００４４】
いくつかの展開シナリオにおいて、商業ＰＬＭＮオペレータが、ミッションクリティカル組織のＭＣサービスのためにインターネットプロトコル（ＩＰ）マルチメディアサブシステム（ＩＭＳ）および／またはセッション開始プロトコル（ＳＩＰ）コアネットワークを動作させ得る一方、ＭＣＰＴＴサーバ、ＭＣビデオサーバ、ＭＣデータサーバ、および他のアプリケーション層ネットワークエンティティ等のＭＣアプリケーションサーバは、ミッションクリティカル組織、または、１つ以上のミッションクリティカル組織（米国第１応答者ネットワーク庁（ＦｉｒｓｔＮｅｔ）等）に代わるミッションクリティカルサービスプロバイダのいずれかによって動作させられ得る。いくつかのミッションクリティカル組織の通信、例えば、公共安全機関およびそれらのユーザによる通信は、実際のメディア通信の観点からのみならず、通信に関与するユーザ／関係者の識別およびその通信の性質の観点からも、極めてプライバシーに敏感と考えられる。
【００４５】
移行は、ＭＣサービスユーザがパートナーＭＣシステムからＭＣサービスを直接取得する手段を提供するミッションクリティカルフレームワークの側面であり、パートナーＭＣシステムは、それらのミッションクリティカル組織のＭＣシステムではなく、
ホームＭＣシステムまたは一次ＭＣシステムとして知られている。
【００４６】
ＭＣサービスユーザが移行し、オンネットワークＭＣ通信を使用することが可能であるために、ＭＣサービスＵＥは、ＭＣサービスユーザの一次ＭＣシステムのＨＰＬＭＮと異なるＰＬＭＮまたはＥＰＳまたは５ＧＳにアタッチする必要があり得る。これは、一次ＭＣシステムのＨＰＬＭＮのＭＣサービスＵＥの場所における無線カバレッジが無いことに起因するか、または、一次ＭＣシステムのＨＰＬＭＮからＭＣサービスユーザが移行することを望むパートナーＭＣシステムへのＰＤＮ接続性が無いことに起因し得る。パートナーＭＣシステムのＨＰＬＭＮにアタッチした後、ＭＣサービスＵＥは、次いで、パートナーシステムへのＭＣ移行を実施し、パートナーＭＣシステムからＭＣサービスを受信することを開始することができる。移行は、ＵＥにおける、例えば、以下のステップを伴い得る：パートナーＭＣシステムの識別管理サーバへの識別管理を実施すること；、パートナーＭＣシステムのＩＭＳまたはＳＩＰコアへのＩＭＳ／ＳＩＰ登録を実施すること等。本開示の文脈内で、用語「ＩＭＳコア」および「ＳＩＰコア」は、同義的に使用され得る。
【００４７】
ＭＣユーザが、パートナーＭＣシステムに移行することを望み、パートナーＭＣシステムのＨＰＬＭＮが、一次ＭＣシステムのＨＰＬＭＮと異なるとき、次いで、ＭＣユーザのＵＥは、パートナーＭＣシステムへのアクセスを提供する正しいＰＤＮに接続するために、ＶＰＬＭＮとしてのパートナーＭＣシステムのＨＰＬＭＮに登録することが可能である必要がある。しかしながら、ＭＣサービスＵＥがパートナーＭＣシステムのＨＰＬＭＮではないＶＰＬＭＮを選択することが可能である。これは、パートナーＭＣシステムのＨＰＬＭＮが、ＭＣサービスユーザのＵＥのＵＳＩＭにおけるオペレータ選好ＰＬＭＮリストおよびユーザ選好ＰＬＭＮリストの両方に存在しないことに起因するか、または、パートナーＭＣシステムのＨＰＬＭＮが、ＭＣサービスユーザのＵＥのＵＳＩＭにおけるオペレータ選好ＰＬＭＮリストおよびユーザ選好ＰＬＭＮリスト上に存在するが、別の利用可能なＰＬＭＮがより高い優先順位等を有することに起因し得る。
【００４８】
ＭＣサービスユーザ認証および承認プロシージャは、３ＧＰＰにおけるＯｐｅｎＩＤフレームワークを利用し、ＯｐｅｎＩＤフレームワークは、例えば、リフレッシュトークン等のいくつかのトークンの中でも、ＩＤトークンおよびアクセストークンを含む。トークンは、３ＧＰＰ  ＴＳ  ３３．１８０、「Ｓｅｃｕｒｉｔｙ  ｏｆ  ｔｈｅ  ｍｉｓｓｉｏｎ  ｃｒｉｔｉｃａｌ  ｓｅｒｖｉｃｅ」、バージョン１４．１．０（２０１７年９月）に説明されるプロシージャを介して、Ｉｎｔｅｒｎｅｔ  Ｅｎｇｉｎｅｅｒｉｎｇ  Ｔａｓｋ  Ｆｏｒｃｅ  （ＩＥＴＦ）  Ｒｅｑｕｅｓｔ  ｆｏｒ  Ｃｏｍｍｅｎｔｓ  （ＲＦＣ）  ７５２３、「ＪＳＯＮ  Ｗｅｂ  Ｔｏｋｅｎ  （ＪＷＴ）  Ｐｒｏｆｉｌｅ  ｆｏｒ  ＯＡｕｔｈ  ２．０  Ｃｌｉｅｎｔ  Ａｕｔｈｅｎｔｉｃａｔｉｏｎ  ａｎｄ  Ａｕｔｈｏｒｉｚａｔｉｏｎ  Ｇｒａｎｔｓ」、（２０１５年５月）で定義される、ＯＡｕｔｈ  ２．０プロトコルにより取得される。
【００４９】
ＵＥは、ネットワークインフラストラクチャを使用することなく、互いに直接的にも通信し得る。ＰｒｏＳｅは、ＵＥが、近接近している他のＵＥを発見し、次いで、いずれのネットワークインフラストラクチャも使用することなく、それらの他のＵＥに直接通信することを可能にする機能性の組を提供する。後者は、「直接通信」、「デバイスツーデバイス」（Ｄ２Ｄ）、ＰＣ５通信、またはサイドリンク通信として知られている。このタイプの通信は、無線スペクトルの専用または特定の組で行われ得るが、その必要はない。すなわち、そのような通信は、ＰＬＭＮオペレータの無線インフラストラクチャによって使用されるそれと異なる無線スペクトルで行われる必要はない。スペクトルが有限リソースであるので、限定数のネットワークおよびＰＬＭＮが、任意の単一地理的地域内でそのような通信を提供するであろうことが予期され、したがって、ＰｒｏＳｅ特定のＰＬＭＮ選択プロシージャ、すなわち、「ＰｒｏＳｅ直接通信によってトリガされるＰＬＭＮ」が、ＵＥがそのようなスペクトルを見出すことを可能にするために、３ＧＰＰ  ＴＳ  ２３．１２２の第３．１Ｂ節「Ｎｏｎ−Ａｃｃｅｓｓ−Ｓｔｒａｔｕｍ  （ＮＡＳ）  ｆｕｎｃｔｉｏｎｓ  ｒｅｌａｔｅｄ  ｔｏ  Ｍｏｂｉｌｅ  Ｓｔａｔｉｏｎ（ＭＳ）  ｉｎ  ｉｄｌｅ  ｍｏｄｅ」、バージョン１５．１．０（２０１７年９月）で定義されている。
【００５０】
３ＧＰＰ  ＴＳ  ２４．３３４の第５．１．１項「Ｐｒｏｘｉｍｉｔｙ−ｓｅｒｖｉｃｅｓ  （ＰｒｏＳｅ）  Ｕｓｅｒ  Ｅｑｕｉｐｍｅｎｔ  （ＵＥ）  ｔｏ  ＰｒｏＳｅ  ｆｕｎｃｔｉｏｎ  ｐｒｏｔｏｃｏｌ  ａｓｐｅｃｔｓ；Ｓｔａｇｅ  ３」（Ｒｅｌ−１５）、バージョン１５．０．０（２０１７年９月）は、現在、「本仕様書のリリース内で、Ｅ−ＵＴＲＡ技術を使用するＰｒｏＳｅ直接通信は、公共安全ＰｒｏＳｅ対応ＵＥのみに関してサポートされる」と述べている。しかしながら、無線ローカルエリアネットワーク（ＷＬＡＮ）等の他のアクセス技術を使用するＰｒｏＳｅ直接通信は、他のＵＥおよびサービスの両方に関して明示的に除外されていない。加えて、車両間または車両・インフラストラクチャ（Ｖ２Ｘ）も、３ＧＰＰ  ＴＳ  ２４．２８６の第６．１．２．３節「Ｕｓｅｒ  Ｅｑｕｉｐｍｅｎｔ  （ＵＥ）  ｔｏ  Ｖ２Ｘ  ｃｏｎｔｒｏｌ  ｆｕｎｃｔｉｏｎ；ｐｒｏｔｏｃｏｌ  ａｓｐｅｃｔｓ；Ｓｔａｇｅ  ３」、バージョン１４．０．０（２０１７年３月）、および３ＧＰＰ  ＴＳ  ２３．１２２の第３．１Ｃ節に規定されるように、Ｅ−ＵＴＲＡＮを経由したＰｒｏＳｅ（「ＰＣ５を経由したＶ２Ｘ通信によってトリガされるＰＬＭＮ選択」）を利用することもできる。
【００５１】
（データ接続性）
セルラーデータ接続性またはサービスを使用することを望むＵＥは、少なくとも１つの進化型ユニバーサル携帯電話通信システム（ＵＭＴＳ）地上波無線アクセスネットワーク（Ｅ−ＵＴＲＡＮ）、拡張型パケットコア（ＥＰＣ）、およびパケットデータネットワーク（ＰＤＮ）を利用し得る。Ｅ−ＵＴＲＡＮとＥＰＣとの組み合わせは、拡張型パケットシステム（ＥＰＳ）として知られている。５Ｇシステムに関して、それは、次世代（ＮＧ）無線およびＮＧコアネットワークの一方または両方から成る。
【００５２】
ここで、図１が参照される。図１の例において、ＵＥ１１０は、ＰＤＮ接続１２２を利用して、ＰＤＮ１２０と接続する。そのようなＰＤＮ接続は、いくつかの実施形態において、第２世代（２Ｇ）または第３世代（３Ｇ）ネットワークにおけるパケットデータプロトコル（ＰＤＰ）コンテキストと称されるか、または、第５世代（５Ｇ）ネットワークにおけるパケットデータユニット（ＰＤＵ）セッションと称され得る。ＰＤＮ接続１２２は、ＵＥ１１０とＰＤＮ１２０との間で、いくつかあるデータオプションの中でも、シグナリングまたは制御プレーンデータ、ユーザプレーンデータ、音声／オーディオメディア、ビデオメディア等のデータを伝送および受信するために使用され得る。データネットワーク（ＤＮ）としても知られ得るＰＤＮは、ＵＥが、ＰＤＮに接続された他のエンティティ、または、ＰＤＮを介した他のエンティティと通信する（すなわち、データを送信および受信する）ための機構を提供する。
【００５３】
ＰＤＮ接続１２２は、図１で提供されるように、Ｅ−ＵＴＲＡＮ１３２およびＥＰＣ１３４を典型的に経由する。しかしながら、他の実施形態において、接続性は、無線ローカルエリアネットワーク（ＷＬＡＮ）およびＥＰＣを経由し得、本開示は、特定のＰＤＮ接続１２２に限定されない。
【００５４】
Ｅ−ＵＴＲＡＮ１３２およびＥＰＣ１３４が、必ずではないが、モバイルネットワークオペレータまたはセルラーキャリアに典型的に属するが、ＰＤＮ１２０は、オペレータまたは他のエンティティに属し得る。例えば、ＰＤＮは、会社または企業ネットワークに属し得る。
【００５５】
ＥＰＳ１３０は、ＨＰＬＭＮ（第１のサービスプロバイダ）のみから成り得るか、または、ＨＰＬＭＮおよび訪問公衆陸上移動ネットワーク（ＶＰＬＭＮ）（第２のサービスプロバイダ）からさらに成り得、後者は、ローミングに使用される。そのようなＨＰＬＭＮおよびＶＰＬＭＮは、簡潔にするために図１に示されていない。
【００５６】
ＥＰＳ１３０は、種々のエンティティから成り得る。これらは、いくつかあるネットワークノードの中でも、拡張型ノードＢ（ｅＮＢ）、モバイル管理エンティティ（ＭＭＥ）サービングゲートウェイ（Ｓ−ＧＷ）、ＰＤＮゲートウェイ（Ｐ−ＧＷ）、またはホームサブスクライバサーバ（ＨＳＳ）のうちの１つ以上のものを含む。
【００５７】
ＰＤＮ接続１２２は、ＵＥ１１０とＰＤＮ１２０との間のデータのためのパスを提供する。ＰＤＮ接続確立中、ＰＤＮ１２０は、アクセスポイント名（ＡＰＮ）またはデータネットワーク名（ＤＮＮ）によって識別され、その後、確立されたＰＤＮ接続における他のパラメータによって識別される。ＡＰＮは、ＰＤＮ１２０へのアクセスを可能にするＥＰＣ１３４では、とりわけ、ゲートウェイノード（例えば、Ｐ−ＧＷ、ゲートウェイ汎用パケット無線サービス（ＧＰＲＳ）サポートノード（ＧＧＳＮ））を識別することができる。
【００５８】
例えば、ｖ．１４．３．０（２０１７年３月）で提供されるような第３世代パートナーシッププロジェクト（３ＧＰＰ）技術仕様書（ＴＳ）２３．００３、「Ｎｕｍｂｅｒｉｎｇ，ａｄｄｒｅｓｓｉｎｇ  ａｎｄ  ｉｄｅｎｔｉｆｉｃａｔｉｏｎ」で定義されるように、ＡＰＮは、ネットワーク識別（ＮＩ）およびオペレータ識別（ＯＩ）部分から成る。ＮＩおよびＯＩ部分の両方は、ドットによって分離された文字列から成る。ドット間の文字は、「標識」と称される。
【００５９】
一実施形態において、ＮＩ部分のコンテンツが、未定義であり得る一方で、ＯＩ部分のコンテンツは、厳密に定義される。ＯＩ部分は、概して、ネットワーによってＮＩの最後に付加される。この機能を果たし得るネットワークノードは、限定ではないが、とりわけ、サービングＧＰＲＳサポートノード（ＳＧＳＮ）、ＭＭＥ、Ｓ−ＧＷ、Ｐ−ＧＷを含む。
【００６０】
他の実施形態において、ＵＥが特定の公衆陸上移動ネットワーク（ＰＬＭＮ）内のＰＤＮへのブレイクアウトを特に要求することを望む場合、ＵＥは、ＮＩおよびＯＩの両方を提供し得、ＵＥによって提供されているＯＩがない場合、ネットワークは、定義された論理を使用し、ＮＩに付加するＯＩを決定する。そのような定義された論理は、例えば、ｖ．１４．４．０（２０１７年６月）で提供されるような、例えば、３ＧＰＰ  ＴＳ  ２３．０６０、「Ｇｅｎｅｒａｌ  Ｐａｃｋｅｔ  Ｒａｄｉｏ  Ｓｅｒｖｉｃｅ（ＧＰＲＳ）；Ｓｅｒｖｉｃｅ  ｄｅｓｃｒｉｐｔｉｏｎ；Ｓｔａｇｅ  ２」で見出され得る。
【００６１】
ＵＥは、そのホームＰＬＭＮまたは拡張型ＨＰＬＭＮ（ＥＨＰＬＭＮ）であるＰＬＭＮにアタッチされていないとき、ローミングしている。ＵＥがローミングしているとき、ＰＤＮ接続は、ＶＰＬＭＮまたはＨＰＬＭＮにおけるＰＤＮに接続し得る。ＶＰＬＭＮにおけるＰＤＮへの接続は、時として、「ローカルブレイクアウト」（ＬＢＯ）と称される。ＨＰＬＭＮ内のＰＤＮへの接続は、時として、「ホームルート型」または「Ｓ８インターフェースホームルート型（Ｓ８ＨＲ）」と称される。
【００６２】
（ＵＩＣＣベースの選択ソリューション）
ここで、本開示の少なくとも１つの実施形態によるプロセスのフロー図を示す図２が参照される。
【００６３】
プロセスは、ブロック２００から開始し、ブロック２１０に進み、第１のトリガイベントが、起こる。第１のトリガイベントは、以下のうちの１つまたは組み合わせであり得る。
【００６４】
ＭＣサービスＵＥが、新しいまたは異なるＰＬＭＮに登録する。
【００６５】
タイマが、満了する。
【００６６】
一次ＭＣシステムのＨＰＬＭＮが、ＵＥに利用可能でなくなる。
【００６７】
ＵＥが、パートナーＭＣシステムに移行すべきであることを示すメッセージを受信する。
【００６８】
ＵＥが、ＭＣサービスを受信するための承認を受信する。
【００６９】
ＭＣサービスクライアントが、ＵＥにおいてプロビジョニングまたはアクティブにされる。
【００７０】
ＵＥが、特定の場所に進入する。
【００７１】
他のイベントが、ブロック２１０のためのトリガとしての役割を果たし得、本開示は、上で限定されない。
【００７２】
プロセスは、次いで、ブロック２２０に進み、ＵＥは、指示をネットワーク要素に送信する。指示は、ブロック２１０のトリガイベントについての情報を提供し得る。指示は、ＵＥの現在の場所および現在利用可能なＰＬＭＮのリスト等の情報も提供し得る。
【００７３】
ネットワーク要素は、一次ＭＣシステムまたはパートナーＭＣシステム内に位置し得、いくつかあるオプションの中でも、構成管理サーバ、識別管理サーバ、ＭＣサーバのうちの１つ以上のものであり得る。
【００７４】
指示がネットワーク要素に伝送されると、プロセスは、ブロック２３０に進み、ＵＥは、ネットワーク要素からＰＬＭＮ識別子のリストを受信する。ＵＥによって受信されるＰＬＭＮ識別子に対応するＰＬＭＮは、ＵＥが新しいパートナーＭＣシステムに移行することを可能にし得るＰＬＭＮである。少なくとも１つの実施形態において、受信されたＰＬＭＮ識別子のリストは、ＵＥの現在の場所および／またはＵＥに利用可能であるＰＬＭＮに基づいて、ＵＥが新しいパートナーＭＣシステムに移行することを可能にするＰＬＭＮに対応する。
【００７５】
ＵＥは、次いで、ブロック２４０において、内部メモリ、またはＵＩＣＣ上のアプリケーションにおけるフィールド（例えば、ＵＳＩＭのフィールド）のいずれかに受信されたＰＬＭＮ識別子のリストを記憶する。少なくとも１つの実施形態によると、ＵＩＣＣ上のアプリケーションにおけるフィールドは、ＵＳＩＭにおけるユーザ制御ＰＬＭＮセレクタリストである。
【００７６】
プロセスは、次いで、ブロック２５０に進み、ＵＥは、受信されたＰＬＭＮ識別子によって識別されるＰＬＭＮのうちの１つに登録する。登録試行は、例えば、ＵＩＣＣアプリケーションにおけるフィールドに受信されたＰＬＭＮ識別子のリストを記憶することの結果として、または、ＭＣサービスクライアント等のアプリケーション層プロセスによって発行されるＡＴコマンドに続いて自動的に起こり得る。
【００７７】
ＡＴコマンドは、アプリケーション層が、データを書き込むこと、データを読み取ること、または、例えば、モデムチップ等のモバイルデバイスの下層によるプロシージャの実行を強制することを可能にする。ＡＴコマンドは、３ＧＰＰ  ＴＳ  ２７．００７「ＡＴ  ｃｏｍｍａｎｄ  ｓｅｔ  ｆｏｒ  Ｕｓｅｒ  Ｅｑｕｉｐｍｅｎｔ  （ＵＥ）」、バージョン１４．５．０（２０１７年９月）に説明されている。
【００７８】
本開示との関連で使用され得るＡＴコマンドは、以下を備えている。
【００７９】
好ましいＰＬＭＮリスト＋ＣＰＬＳの選択：３ＧＰＰ  ＴＳ  ２７．００７の第７．２０節で定義されるように、このＡＴコマンドは、ＵＥの上層が、ＵＩＣＣアプリケーション上でプロビジョニングまたはサポートされるＰＬＭＮセレクタリストを決定するための機構を提供する。
【００８０】
好ましいＰＬＭＮリスト＋ＣＰＯＬ：３ＧＰＰ  ＴＳ  ２７．００７の第７．１９節で定義されるように、このＡＴコマンドは、ＵＥの上層が、ユーザ制御ＰＬＭＮセレクタリストおよびオペレータ制御ＰＬＭＮセレクタリストからデータを読み取り、この情報をＭＥの上層に提供し、規定データをユーザ制御ＰＬＭＮセレクタリストおよびオペレータ制御ＰＬＭＮセレクタリストに書き込むように下層に命令するための機構を提供する。
【００８１】
ＰＬＭＮ選択＋ＣＯＰＳ：３ＧＰＰ  ＴＳ  ２７．００７の第７．３節で定義されるように、このＡＴコマンドは、ＵＥの上層が、「モード」パラメータに従って、ＰＬＭＮを選択し、それに登録する試行を強制するように下層に命令するための機構を提供する。「モード」が０に設定されるとき、ＵＥは、利用可能なＲＰＬＭＮに登録する。「モード」が１に設定されるとき、ＵＥは、登録が失敗した場合、別のネットワークへのフォールバックを伴わずに特定のＰＬＭＮに登録する。「モード」が４に設定されるとき、ＵＥは、登録が失敗した場合、別のネットワークへのフォールバックを伴って特定のＰＬＭＮに登録する。
【００８２】
ブロック２６０において決定されるように、ブロック２５０におけるＰＬＭＮの登録が成功した場合、ＵＥは、続いて、ブロック２７０においてパートナーＭＣシステムへのＭＣ移行を実施し得、プロセスは、ブロック２９０において終了する。ブロック２６０において決定されるように、ブロック２５０におけるＰＬＭＮの登録が成功していない場合、プロセスは、ブロック２８０において失敗し、ブロック２９０において終了する。プロセスがブロック２８０において失敗した場合、ＵＥは、以下のうちの１つまたは組み合わせを含み得る１つ以上の特定のアクションを講じ得る。
【００８３】
ディスプレイ上に、または別のユーザインターフェースを介して、指示、例えば、可聴、振動等を提示すること。
【００８４】
別のネットワークＰＬＭＮ選択プロシージャを実施すること。
【００８５】
メッセージ（例えば、受信された１つ以上のＰＬＭＮ識別子を選択できないことの指示を含む）を一次ＭＣシステムにおける機能エンティティに送信すること。
【００８６】
オフネットワークＭＣサービスを実施すること。
【００８７】
パートナーＭＣシステムに移行するために、ＵＥは、ＰＬＭＮ識別子に関連付けられたＩＭＳに登録する。ＭＣ移行は、特許出願第ＵＳ２０１７／０１３４４４４号（参照することによって組み込まれる）で定義されるような機能性を使用して実施されることもある。
【００８８】
（反復選択ソリューション）
ここで、本開示の別の実施形態によるプロセスを図示する図３が参照される。
【００８９】
図３のプロセスは、ブロック３００から開始し、ブロック３１０に進み、第１のトリガイベントが、起こる。ブロック３１０において検出されるトリガイベントは、限定ではないが、以下のうちの１つ以上のものを含むことができる。
【００９０】
ＭＣサービスＵＥが、新しいまたは異なるＰＬＭＮに登録する。
【００９１】
タイマが、満了する。
【００９２】
一次ＭＣシステムのＨＰＬＭＮが、ＵＥに利用可能でなくなる。
【００９３】
ＵＥが、パートナーＭＣシステムに移行すべきであることを示すメッセージを受信する。
【００９４】
ＵＥが、ＭＣサービスを受信するための承認を受信する。
【００９５】
ＭＣサービスクライアントが、ＵＥにおいてプロビジョニングまたはアクティブにされる。
【００９６】
ＵＥが、特定の場所に進入する。
【００９７】
他のイベントが、ブロック３１０のためのトリガとしての役割を果たし得、本開示は、上で限定されない。
【００９８】
プロセスは、次いで、ブロック３２０に進み、ＵＥは、指示をネットワーク要素に送信する。指示は、ブロック３１０のトリガイベントについての情報を提供し得る。指示は、ＵＥの現在の場所および現在利用可能なＰＬＭＮのリスト等の情報も提供し得る。指示は、それが無線デバイスが移行を実行したいという指示であり得るという点で明示的であり得るか、または、暗示的であり得る。例えば、暗示的指示は、ＵＥが移行を実施する必要があることを暗示する場所情報を含み得る。
【００９９】
ネットワーク要素は、一次ＭＣシステムまたはパートナーＭＣシステム内に位置し得、それは、いくつかあるオプションの中でも、構成管理サーバ、識別管理サーバ、ＭＣサーバのうちの１つ以上のものであり得る。
【０１００】
指示がネットワーク要素に伝送されると、プロセスは、ブロック３３０に進み、ＵＥは、ネットワーク要素からＰＬＭＮ識別子のリストを受信する。ＵＥによって受信されるＰＬＭＮ識別子に対応するＰＬＭＮは、ＵＥが新しいパートナーＭＣシステムに移行することを可能にし得るＰＬＭＮである。少なくとも１つの実施形態において、受信されたＰＬＭＮ識別子のリストは、ＵＥの現在の場所および／またはＵＥに利用可能であるＰＬＭＮに基づいて、ＵＥが新しいパートナーＭＣシステムに移行することを可能にするＰＬＭＮに対応する。現在利用可能なＰＬＭＮのリストは、スキャンを実施する間にＵＥによって決定され得る。スキャンは、ブロック３４０の前、またはブロック３４０で実施され得る。
【０１０１】
プロセスは、次いで、ＵＥが、随意に、ブロック３３０において受信されるＰＬＭＮ識別子のリストからＰＬＭＮ識別子のサブセットを作成するブロック３４０に進む。サブセットは、ＵＥに現在利用可能であるブロック３３０において受信されるリストにおけるＰＬＭＮ識別子によって識別されるＰＬＭＮを決定することによって、作成される。
【０１０２】
プロセスは、次いで、ブロック３５０に進み、ＰＬＭＮ識別子が、サブセットから選択される。サブセットは、いくつかの実施形態において、優先順に配列され得る。優先順は、ブロック３３０において受信されるリストの順序に基づいて決定され得るか、または、いくつかの他の要因に基づいてＵＥにおいて決定され得る。ＰＬＭＮ識別子が優先順によって配列されるかどうかにかかわらず、ＰＬＭＮ識別子が、ＵＥによる登録のために選択される。
【０１０３】
ＰＬＭＮ識別子が選択されると、ＵＥは、ステップ３５１においてＵＥによって登録のために選択されたＰＬＭＮへの登録を試行する。ブロック３６０において決定されるように、ブロック３５１におけるＰＬＭＮの登録が成功した場合、ＵＥは、続いて、ブロック３８０においてパートナーＭＣシステムへのＭＣ移行を実施し得、プロセスは、ブロック３９０において終了する。
【０１０４】
パートナーＭＣシステムに移行するために、ＵＥは、ＰＬＭＮ識別子に関連付けられたＩＭＳに登録する。
【０１０５】
ブロック３６０において決定されるように、ブロック３５１におけるＰＬＭＮの登録が成功しなかった場合、プロセスは、ブロック３５２に進み、サブセットの全てのＰＬＭＮ識別子が登録のために試行されたかどうかをチェックする。全てのＰＬＭＮ識別子がすでに試行されている場合、プロセスは、ブロック３７０において失敗し、ブロック３９０において終了する。プロセスがブロック３７０において失敗した場合、ＵＥは、以下のうちの１つまたは組み合わせを含み得る１つ以上の特定のアクションを講じ得る。
【０１０６】
ディスプレイ上に、または別のユーザインターフェースを介して、指示を提示すること。
【０１０７】
別のネットワークＰＬＭＮ選択プロシージャを実施すること。
【０１０８】
メッセージ（例えば、受信された１つ以上のＰＬＭＮ識別子を選択できないことの指示を含む）を一次ＭＣシステムにおける機能エンティティに送信すること。
【０１０９】
オフネットワークＭＣサービスを実施すること。
【０１１０】
そうでなければ、プロセスは、ブロック３５０に戻り、サブセットから新しいＰＬＭＮ識別子を選択する。この新たに選択されたＰＬＭＮ識別子は、次いで、ブロック３５１において登録を試行するために使用される。したがって、方法は、登録が成功するまで、またはサブセットの全てのＰＬＭＮ識別子が試行されるまで、サブセットからの全てのＰＬＭＮ識別子を用いて登録を反復して試行する。
【０１１１】
図３のプロセスを実装するために要求される３ＧＰＰ規格の変更の例が、付属書Ｂおよび付属書Ｃにおいて示される。
【０１１２】
（構成管理サーバ構成ソリューション）
ここで、図４が参照される。図４は、図２のブロック２２０および２３０間のメッセージの交換、または代替として、上で議論される図３のブロック３２０および３３０間のメッセージの交換を図示する。
【０１１３】
ＵＥ４００は、一次ＭＣシステムの構成管理サーバ（以降では、一次サーバ４２０）に、パートナーＭＣシステムの接続詳細を要求するメッセージ４３０を送信し得る。メッセージ４３０は、以下のうちの１つ以上のものを含み得るＵＥ４００に関する場所情報を含み得る：モバイル国コード（ＭＣＣ）およびモバイルネットワークコード（ＭＮＣ）、全地球測位システム座標、グローバルセルＩＤ、ＰＬＭＮ識別子、オペレータＩＤ等。メッセージ４３０はまた、いくつかの実施形態において、利用可能なＰＬＭＮのリスト、ＭＣユーザのＭＣユーザ識別（ＭＣ  ＩＤ）、ＵＥ４００のＩＭＳサブスクライバ識別モジュール（ＩＳＩＭ）からのデフォルトＳＩＰプライベートユーザ識別およびデフォルトＳＩＰパブリック識別、および、ＵＥ４００がパートナーＭＣシステムにアクセスするためにＰＬＭＮ識別子を要求することの指示を含み得る。
【０１１４】
メッセージ４３０を受信すると、一次サーバ４２０は、パートナーＭＣシステムの構成管理サーバ（以降では、パートナーサーバ４１０）に、パートナーＭＣシステムへのアクセスを要求するメッセージ４４０を随意に送信し得る。メッセージ４４０は、ＵＥ４００に関連付けられたＭＣ  ＩＤ、一次ＭＣシステムの移行管理サーバの識別子、一次ＭＣシステムのＳＩＰ識別、および、ＵＥ４００に利用可能であるＰＬＭＮおよび無線アクセス技術（ＲＡＴ）の指示を含み得る。
【０１１５】
ブロック４５０では、メッセージ４４０を受信した後、パートナーサーバ４１０は、一次ＭＣシステムおよびＵＥ４００がパートナーＭＣシステムにアクセスする承認されているかどうかを決定する。一次ＭＣシステムおよびＵＥ４００が承認されている場合、パートナーサーバ４１０は、ＵＥ４００がパートナーＭＣシステムにアクセスするために使用し得るＰＬＭＮを決定する。
【０１１６】
パートナーサーバ４１０は、次いで、応答メッセージ４６０で要求メッセージ４４０に応答する。応答メッセージ４６０は、一次サーバ４２０によって受信され、それは、ＵＥ４００がパートナーＭＣシステムにアクセスするためのＰＬＭＮ識別子のリストを備え得る。ＰＬＭＮのリストは、リストにおける最初のアイテムが最初に試行されるように、優先順位によって順位付けられ得る。少なくとも１つの実施形態によると、リストにおける各ＰＬＭＮ識別子は、ＰＬＭＮにおいて使用されるべきＲＡＴのインジケータを伴う。
【０１１７】
一次サーバ４２０は、次いで、応答メッセージ４７０によって例証されるように、要求メッセージ４３０に対応し、パートナーサーバ４１０から受信したＰＬＭＮ識別子のリストをＵＥ４００に提供し得る。ＵＥ４００は、この情報を受信し、ＵＥ４００上にインストールされたＭＣクライアントのメモリにそれを記憶し得る。
【０１１８】
少なくとも１つの実施形態によると、メッセージ４４０、４５０、および４６０は、省略され、パートナーサーバ４１０と通信することなく、ＰＬＭＮ識別子のリストおよび随意のＲＡＴが、一次サーバ４２０からＵＥ４００に提供される。
【０１１９】
別の実施形態によると、ＵＥ３００は、メッセージ３３０をパートナーサーバに送信し得、パートナーサーバは、次いで、メッセージ３４０を一次サーバに送信し、一次サーバは、次いで、ブロック３５０において、ＵＥ３００に提供するＰＬＭＮ識別子を決定し、メッセージ３６０をパートナーサーバに送信することによって、メッセージ３４０に応答する。一次サーバは、メッセージ３６０を受信すると、メッセージ３７０をＵＥ３００に送信する。
【０１２０】
ＵＥにおいて受信されるＰＬＭＮ識別子のリストは、単一のパートナーＭＣシステムのためのＰＬＭＮのリストを備え得る。代替として、ＰＬＭＮ識別子のリストは、複数のパートナーＭＣシステムのためのＰＬＭＮの異なるリストを備え得る。少なくとも１つの実施形態によると、リストは、第１のＭＣシステム識別子を備え、その後に第１のＭＣシステム識別子に関連付けられたＰＬＭＮ識別子のリストが続く。この後、第２のＭＣシステム識別子、および第２のＭＣシステム識別子に関連付けられたＰＬＭＮ識別子のリスト等が続き得る。したがって、ＰＬＭＮ識別子のリストは、恣意的な数の潜在的パートナーＭＣシステムに関するＰＬＭＮ情報をＵＥに提供し得る。少なくとも１つの実施形態によると、ＰＬＭＮ識別子のリストは、ゼロ以上のエントリを有し得る。
【０１２１】
少なくとも１つの実施形態によると、各ＰＬＭＮ識別子は、以下の情報のうちの少なくともいくつかを備えている。
【０１２２】
ネットワークサービスプロバイダ（モバイル国コード、モバイルネットワークコード、サービスセット識別子（ＳＳＩＤ）等）
【０１２３】
アクセス技術
【０１２４】
ネットワークスライス
【０１２５】
ＤＮＳサーバアドレス
【０１２６】
プロキシコールセッション制御機能（Ｐ−ＣＳＣＦ）アドレス
【０１２７】
例えば、ローカルブレイクアウトのため、Ｓ８ＨＲのため等のアクセスポイント名（ＡＰＮ）
【０１２８】
ホームルート型サービスのためのＡＰＮ
【０１２９】
（識別管理サーバ構成ソリューション）
ここで、図５が参照される。図５は、ネットワークエンティティが識別管理サーバであるときのメッセージの交換を図示する。
【０１３０】
図５で見られるように、ＵＥ５００は、２つのサブコンポーネント、すなわち、ＭＣクライアント５０２および識別管理クライアント５０３によって例証される。
【０１３１】
３ＧＰＰ  ＴＳ  ３３．１８０「Ｓｅｃｕｒｉｔｙ  ｏｆ  ｔｈｅ  ｍｉｓｓｉｏｎ  ｃｒｉｔｉｃａｌ  ｓｅｒｖｉｃｅ」、バージョン１４．１．０（２０１７年９月）で定義されるように、識別管理クライアント５０３は、要求メッセージ５２０によって図示されるように、認証要求を識別管理サーバ５１０に発行する。少なくとも１つの実施形態によると、認証要求は、ＭＣシステム内の識別管理サーバに基づくＯｐｅｎＩＤ接続（ＯＩＤＣ）へのハイパーテキスト転送プロトコルセキュア型（ＨＴＴＰＳ）認証要求であり、それは、「ｃｏｄｅ＿ｃｈａｌｌｅｎｇｅ」値を含む。３ＧＰＰ  ＴＳ  ３３．１８０で規定されるものに加えて、識別管理クライアント５０３は、要求メッセージ５２０に、ＵＥ５００がパートナーＭＣシステムにアクセスするためにＰＬＭＮ識別を必要とすることの指示と、モバイル国コード（ＭＣＣ）およびモバイルネットワークコード（ＭＮＣ）、全地球測位座標、グローバルセルＩＤ、ＰＬＭＮ識別子、オペレータＩＤ等のうちの１つ以上のものを含み得るＵＥ５００に関する場所情報とを含み得る。
【０１３２】
要求メッセージ５２０を受信すると、識別管理サーバ５１０は、ブロック５３０において認証プロシージャを開始する。
【０１３３】
識別管理クライアント５０３は、次いで、メッセージ５４０からユーザ証明情報を取得し、メッセージ５４１によって図示されるように、これらの証明情報を識別管理サーバ５１０に転送し得る。証明情報は、ＭＣユーザ識別と、他の関連付けられる証明情報とを含み得る。識別管理クライアントは、ＵＥ５００がパートナーＭＣシステムにアクセスするためにＰＬＭＮ識別を必要とすることの指示と、ＵＥ５００に関する場所情報とを含み得、場所情報は、モバイル国コード（ＭＣＣ）およびモバイルネットワークコード（ＭＮＣ）、全地球測位座標、グローバルセルＩＤ、ＰＬＭＮ識別子、オペレータＩＤ等のうちの１つ以上のものを含み得る。
【０１３４】
少なくとも１つの実施形態によると、識別管理サーバ５１０は、次いで、随意に、矢印５５０によって図示されるように、ＭＣクライアント５０２へのＭＣアクセスを許可するためのユーザ同意を取得する。
【０１３５】
識別管理サーバ５１０は、次いで、メッセージ５４１で取得される証明情報を認証し、認証応答５６０を提供する。少なくとも１つの実施形態によると、認証応答５６０は、ＨＴＴＰＳ発見メッセージであり、識別管理サーバ５１０によって生成される承認コードを含み、承認コードは、要求メッセージ５２０において提供される「ｃｏｄｅ＿ｃｈａｌｌｅｎｇｅ」に関連付けられている。
【０１３６】
識別管理クライアント５０３は、次いで、メッセージ５７０によって図示されるように、識別管理サーバ５１０からアクセストークンを要求する。少なくとも１つの実施形態によると、メッセージ５７０は、承認コードをアクセストークンに交換するためのＨＴＴＰポスト要求から成り、アクセストークンは、「ｃｏｄｅ＿ｃｈａｌｌｅｎｇｅ」と暗号論的に関連付けられたコード検証文字列を含む。さらに、いくつかの実施形態において、メッセージ５７０は、ＵＥ５００がパートナーＭＣシステムにアクセスするためにＰＬＭＮ識別を必要とすることの指示と、モバイル国コード（ＭＣＣ）およびモバイルネットワークコード（ＭＮＣ）、全地球測位座標、グローバルセルＩＤ、ＰＬＭＮ識別子、オペレータＩＤ等のうちの１つ以上のものを含み得るＵＥ５００に関する場所情報とを含み得る。
【０１３７】
識別管理サーバ５１０は、次いで、コード検証文字列が正しいことを検証し、応答メッセージ５８０によって図示されるように、トークン要求への応答を発行する。少なくともいくつかの実施形態によると、応答メッセージ５８０は、アクセストークンおよびＩＤトークンを伴うＨＴＴＰＳ  ２００  ＯＫメッセージから成り、ＭＣサービスへのＭＣクライアントアクセスを可能にする。ＩＤトークンは、パートナーＭＣシステムと共に使用されるべきＰＬＭＮ識別子のリストも含み得る。少なくとも１つの実施形態によると、ＰＬＭＮ識別子のリストは、Ｊａｖａ（登録商標）Ｓｃｒｉｐｔ（登録商標）  Ｏｂｊｅｃｔ  Ｎｏｔａｔｉｏｎ（ＪＳＯＮ）ウェブトークン（ＪＷＴ）に含まれる。
【０１３８】
ＵＥにおいて受信されるＰＬＭＮ識別子のリストは、単一のパートナーＭＣシステムのためのＰＬＭＮのリストを備え得る。代替として、ＰＬＭＮ識別子のリストは、複数のパートナーＭＣシステムのためのＰＬＭＮの異なるリストを備え得る。少なくとも１つの実施形態によると、リストは、第１のＭＣシステム識別子を備え、その後に第１のＭＣシステム識別子に関連付けられたＰＬＭＮ識別子のリストが続く。この後、第２のＭＣシステム識別子、および第２のＭＣシステム識別子に関連付けられたＰＬＭＮ識別子のリスト等が続き得る。したがって、ＰＬＭＮ識別子のリストは、恣意的な数の潜在的パートナーＭＣシステムに関するＰＬＭＮ情報をＵＥに提供し得る。
【０１３９】
少なくとも１つの実施形態によると、各ＰＬＭＮ識別子は、以下の情報のうちの少なくともいくつかを備えている。
【０１４０】
ネットワークサービスプロバイダ（モバイル国コード、モバイルネットワークコード、サービスセット識別子）
【０１４１】
アクセス技術
【０１４２】
ネットワークスライス
【０１４３】
ＤＮＳサーバアドレス
【０１４４】
プロキシコールセッション制御機能（Ｐ−ＣＳＣＦ）アドレス
【０１４５】
例えば、ローカルブレイクアウトのため、Ｓ８ＨＲのため等のアクセスポイント名（ＡＰＮ）
【０１４６】
ホームルート型サービスのためのＡＰＮ
【０１４７】
識別管理クライアント５０３がアクセストークンおよびＩＤトークンを取得すると、それらは、メッセージ５９０によって図示されるように、ＭＣクライアント５０２に転送される。
【０１４８】
いくつかの実施形態において、識別管理サーバ５１０は、一次ＭＣシステムの一部であり、他の実施形態において、識別管理サーバ５１０は、パートナーＭＣシステムの一部である。
【０１４９】
さらなる実施形態において、識別管理クライアント５０３がＰＬＭＮ識別子のリストを取得すると、識別管理クライアント５０３は、リストをＵＥ５００内の構成管理クライアントに転送し得る。
【０１５０】
図５のプロセスを実装するために要求される３ＧＰＰ規格の変更の例が、付属書Ａにおいて示される。
【０１５１】
（受信されたＰＬＭＮ識別子を処理する方法を決定する）
本開示の少なくともいくつかの実施形態において、ＵＥは、ネットワークエンティティからＰＬＭＮ識別子のリストを受信した後、上で議論されるＵＩＣＣベースの選択ソリューションおよび反復選択ソリューションのいずれを実行すべきかを実行時に決定し得る。ここで、受信されたＰＬＭＮ識別子のリストを取り扱う方法を決定するためにＵＥによって実施され得るプロシージャを図示する図６が参照される。
【０１５２】
図６で見られるように、ＵＥ上のＴＥ６００は、端末アダプタ６２０を介してＵＩＣＣアプリケーション６１０から情報を取得することができる。ＵＩＣＣアプリケーションは、ＵＳＩＭであり得るが、しかしながら、本開示は、そのように限定されず、図６の方法は、特定のＭＣシステムのためのＰＬＭＮセレクタリストを記憶し得る異なるＵＩＣＣアプリケーション（例えば、ＭＣ特定のＵＩＣＣアプリケーション等）を用いて実施され得る。
【０１５３】
端末アダプタ６２０は、ＵＥのオペレーティングシステムの一部であり得、ユーザアプリケーションとＵＩＣＣとの間にインターフェースを提供する。しかしながら、本開示は、この構成に限定されない。ＴＥ６００は、ＭＣクライアント、構成管理クライアント、識別管理クライアント等のクライアントアプリケーションを起動することに関与するＵＥのコンポーネントである。
【０１５４】
図６のプロセスは、要求６３０によって図示されるように、ＴＥ６００が、ＵＩＣＣアプリケーション６１０上に記憶されているＰＬＭＮセレクタリストを見出すための要求を端末アダプタ６２０に送信するとき、開始する。端末アダプタ６２０は、メッセージ６３１によって示されるように、この要求をＵＩＣＣアプリケーション６１０に転送し、応答６３２を受信する。端末アダプタ６２０は、次いで、応答６３３として、応答をＴＥ６００に転送する。
【０１５５】
ＴＥ６００は、次いで、要求６４０によって図示されるように、ＰＬＭＮセレクタリストのうちの１つを選択するための要求を端末アダプタ６２０に送信する。少なくとも１つの実施形態において、選択されたＰＬＭＮセレクタリストは、ユーザ制御ＰＬＭＮセレクタリストである。少なくとも１つの他の実施形態において、選択されたＰＬＭＮセレクタリストは、オペレータ制御ＰＬＭＮセレクタリストである。少なくとも１つの他の実施形態において、選択されたＰＬＭＮセレクタリストは、ＭＣ組織制御ＰＬＭＮセレクタリストである。
【０１５６】
ブロック６４１によって示されるように、端末アダプタ６２０は、次いで、選択されたＰＬＭＮセレクタリストを記憶し、応答６４２によって示されるように、応答をＴＥ６００に送信する。
【０１５７】
応答６４２を受信した後、ＴＥ６００は、要求６５０によって示されるように、端末アダプタ６２０に、選択されたＰＬＭＮセレクタリストに関する読み取り要求を送信する。端末アダプタ６２０は、要求６５１として、この要求をＵＩＣＣアプリケーション６１０に転送し、ＵＩＣＣアプリケーション６１０から返信６５２を受信する。端末アダプタ６２０は、次いで、応答６５３によって示されるように、選択されたＰＬＭＮセレクタリストのコンテンツをＴＥ６００に返送する。ＴＥ６００は、次いで、そのメモリにＰＬＭＮリストを記憶し得る。
【０１５８】
さらに、少なくとも１つの実施形態によると、ＵＥは、例えば、図２のプロセスのブロック２３０の後および図３のプロセスのブロック３３０の後、ネットワーク要素からＰＬＭＮ識別子のリストを受信すると、図６に図示されるプロセスを実施し得る。本実施形態によると、図６の方法が、ＵＩＣＣアプリケーションが受信されたＰＬＭＮ識別子でデータ投入され得るＰＬＭＮセレクタリストを有することを示す場合、ＵＥは、図２に図示されるＵＩＣＣベースの選択ソリューションを続ける。そうでなければ、図６の方法は、そのようなＵＩＣＣアプリケーションが利用可能ではないことを明らかにし、ＵＥは、図３に図示される反復選択ソリューションを続ける。
【０１５９】
ここで、本開示の少なくともいくつかの実施形態による第１のトリガが満たされたことを決定するためのプロセスを図示する図７が参照される。図７の実施形態において、第１のトリガは、ネットワークサービスプロバイダの変更、例えば、ＲＰＬＭＮの変更、ＳＳＩＤの変更等に対応する。本実施形態は、図２のブロック２１０、代替として、図３のブロック３１０に対応することを理解されたい。
【０１６０】
プロセスは、ＴＥ７００が、ネットワークサービスプロバイダ変化時に通知を受信するための要求７３０を端末アダプタ７２０に送信するとき、開始する。少なくとも１つの実施形態において、通知は、モバイル端末（ＭＴ）からの非請求応答コードの形態をとり得る。要求７３０は、ＡＴコマンドの形態をとり得、ＡＴコマンドは、ネットワークサービスプロバイダ変化時に非請求応答コードを伝送するための命令でＭＴを構成する。
【０１６１】
次いで、ブロック７４０によって示されるように、端末アダプタ７２０およびＵＩＣＣアプリケーション７１０は、協働し、全ての現在のアクセス技術における現在のネットワークサービスプロバイダを決定する。いくつかの実施形態において、端末アダプタ７２０は、それだけで現在のネットワークサービスプロバイダを決定する。
【０１６２】
メッセージ７５０によって図示されるように、端末アダプタは、次いで、確認応答をＴＥ７００に返送する。少なくともいくつかの実施形態において、メッセージ７５０は、現在のネットワークサービスプロバイダのリストを含む。現在のネットワークサービスプロバイダのリストは、ＰＬＭＮ識別子、ＳＳＩＤ等の情報を含み得る。
【０１６３】
ある以降のとき、ネットワークサービスプロバイダが変化し、この変化は、ブロック７６０において端末アダプタによって検出される。端末アダプタは、次いで、メッセージ７７０によって図示されるように、ネットワークサービスプロバイダが変化したという通知をＴＥ７００に送信する。
【０１６４】
ここで、図２に関して上で説明されるＵＩＣＣベースの選択ソリューションに従って、ＰＬＭＮ識別子のリストが取り扱われる方法を図示する図８が参照される。
【０１６５】
図８のプロセスは、図２のブロック２４０および２５０に対応する。したがって、プロセスの開始時、ＵＥは、ネットワーク要素からＰＬＭＮ識別子のリストをすでに受信している。
【０１６６】
プロセスは、要求８３０によって図示されるように、ＴＥ８００がＰＬＭＮセレクタリストの更新を要求するときに開始する。少なくとも１つの実施形態において、ＰＬＭＮセレクタリストは、ユーザ制御ＰＬＭＮセレクタリストであるが、本開示は、そのように限定されず、他のＰＬＭＮセレクタリストも、使用され得る。要求は、以前にネットワーク要素から受信されたＰＬＭＮ識別子のリストを含む。少なくとも１つの実施形態において、要求は、ＡＴコマンド＋ＣＰＯＬから成る。
【０１６７】
ブロック８３１では、端末アダプタ８２０およびＵＩＣＣアプリケーション８１０は、協働し、ＰＬＭＮ識別子のリストでＰＬＭＮセレクタリストを更新する。典型的に、端末アダプタ８２０は、メッセージをＵＩＣＣアプリケーション８１０に送信し、ＵＩＣＣアプリケーション８１０の適切なフィールドを更新する。少なくとも１つの実施形態において、ＵＩＣＣアプリケーション８１０は、ＵＳＩＭである。
【０１６８】
適切なＰＬＭＮセレクタリストが更新されると、端末アダプタ８２０は、応答８３２をＴＥ８００に送信し、ＰＬＭＮセレクタリストが更新されたことを示す。
【０１６９】
ＴＥ８００は、次いで、メッセージ８４０によって図示されるように、自動ネットワーク選択を実施するように端末アダプタを命令する。ある場合、このステップは、ＰＬＭＮセレクタリストがブロック８３１において更新されたことの結果として、ネットワーク選択が起こり得るので、省略され得る。少なくともいくつかの実施形態において、メッセージ８４０は、「モード」が０に設定されたＡＴコマンド＋ＣＯＰＳから成る。０の値は、例証目的のためのみであり、本開示は、そのように限定されない。
【０１７０】
ＴＥ８００は、次いで、メッセージ８５０によって図示されるように、パートナーＭＣシステムを使用するための適切なネットワークが選択されたことを確認するために、現在のＲＰＬＭＮを要求する。少なくともいくつかの実施形態において、メッセージ８５０は、ＡＴコマンドから成る。端末アダプタ８２０は、次いで、ブロック８５１においてＲＰＬＭＮを決定し、応答８６０によって図示されるように、ＲＰＬＭＮでＴＥ８００に応答する。
【０１７１】
ブロック８７０では、ＴＥ８００は、ＲＰＬＭＮがネットワーク要素から受信されるＰＬＭＮのリストの一部であることを確認する。ＲＰＬＭＮがリストの一部である場合、ＵＥは、続けてパートナーＭＣシステムに移行し得る。そうでなければ、ＵＥは、例えば、エラーメッセージを表示すること、または、例えば、反復選択ソリューションを使用することによって、ネットワーク要素から受信されたＰＬＭＮのリストからのＰＬＭＮの選択を再試行すること等のあるエラー処理対策をとり得る。
【０１７２】
ここで、図３に関して上で説明される反復選択ソリューションに従って、ＰＬＭＮ識別子のリストが取り扱われる方法を図示する図９が参照される。
【０１７３】
図９に図示されるプロセスは、図３のブロック３４０、３５０、および３５１に対応する。したがって、プロセスの開始時、ＵＥは、ネットワーク要素からＰＬＭＮ識別子のリストをすでに受信している。
【０１７４】
プロセスは、メッセージ９３０によって図示されるように、ＴＥ９００が利用可能なネットワークに関する要求を端末アダプタ９２０に送信すると、開始する。少なくとも１つの実施形態によると、メッセージ９３０は、ＡＴコマンドから成る。
【０１７５】
ブロック９３１では、端末アダプタ９２０は、利用可能なネットワークを決定し、応答９３２によって図示されるように、利用可能なネットワークのリストでＴＥ９００に応答する。
【０１７６】
ブロック９４０では、ＴＥ９００は、ネットワーク要素から受信されたＰＬＭＮ識別子のリストとメッセージ９３２における端末アダプタ９２０から受信された利用可能なネットワークのリストとに基づいて、ＰＬＭＮ識別子のサブセットを作成する。ブロック９４０において作成されるサブセットは、ネットワーク要素から受信されたＰＬＭＮ識別子のリストおよびで端末アダプタから受信された利用可能なネットワークのリストの両方に共通する全てのＰＬＭＮ識別子を含む。少なくとも１つの実施形態において、サブセットは、順序付けられた優先順位リストである。優先順位は、ネットワーク要素から受信されるＰＬＭＮ識別子のリストからの既存の優先順位に基づき得るか、または、いくつかの他の要因に基づいてＵＥにおいて作成され得る。
【０１７７】
候補ＰＬＭＮ識別子のサブセットが作成されると、ＴＥ９００は、メッセージ９５０によって図示されるように、サブセットから選択されるＰＬＭＮ識別子の登録を要求する。少なくとも１つの実施形態によると、メッセージ９５０は、ＡＴコマンドから成り、ＰＬＭＮ識別子がサブセットの最後の識別子ではない場合、「モード」は、１に設定され、ＰＬＭＮ識別子がサブセットの最後の識別子である場合、「モード」は、４に設定される。これは、ＵＥが、サブセットの最後のＰＬＭＮ識別子を使用して、ネットワークに登録しようとするとき、自動ネットワーク選択フォールバックを可能にするが、その前には可能にしない。
【０１７８】
ブロック９５１では、端末アダプタ９２０は、選択されたＰＬＭＮ識別子を用いて登録を試行し、矢印９５２によって図示されるように、登録が成功したかどうかをＴＥ９００に折り返し報告する。登録が成功した場合、ＵＥは、続けてパートナーＭＣシステムに移行し得る。そうでなければ、ＵＥは、例えば、エラーメッセージを表示すること、またはネットワーク要素から受信されたＰＬＭＮのリストからのＰＬＭＮの選択を再試行すること等のあるエラー処理対策をとり得る。
【０１７９】
（一次ＭＣシステムに戻る）
パートナーＭＣシステムに移行したＵＥが、その一次ＭＣシステムに戻ることを望む場合、ＭＣサービスクライアントは、ＵＥを自動ネットワーク選択モードに戻すことができる。ＵＥは、ユーザ入力に起因して、ＵＥが再起動または電源をオフおよびオンにされることに起因して、またはＭＣサービスクライアントが非アクティブおよび再アクティブにされた場合、または、他の類似理由により、その一次ＭＣシステムに戻り得る。ＵＥが、上で説明されるＵＩＣＣベースの選択ソリューションを使用してパートナーＭＣシステムに移行し、ＵＩＣＣアプリケーション上のＰＬＭＮセレクタリストを更新した場合、ＴＥによって保存されたＰＬＭＮセレクタリストの古い値は、ＵＩＣＣアプリケーションに書き換えられる。
【０１８０】
本開示を実装するために使用され得る１つの例示的ユーザ機器が、図１０に関して下で説明される。
【０１８１】
ユーザ機器１０００は、音声通信能力、データ通信能力、または両方を有する双方向無線通信デバイスを備え得る。ユーザ機器１０００は、概して、他のコンピュータシステムと通信する能力を有する。提供される正確な機能性に応じて、ユーザ機器は、例として、データメッセージングデバイス、双方向ポケットベル、無線電子メールデバイス、スマートフォン、データメッセージング能力を伴う携帯電話、無線インターネットアプライアンス、無線デバイス、モバイルデバイス、組み込みセルラーモデム、またはデータ通信デバイスと称され得る。
【０１８２】
ユーザ機器１０００が、双方向通信を可能にされる場合、それは、通信サブシステム１０１１を組み込み得、通信サブシステム１０１１は、受信機１０１２および送信機１０１４、ならびに、１つ以上のアンテナ要素１０１６および１０１８、局部発振器（ＬＯ）１０１３、およびデジタル信号プロセッサ（ＤＳＰ）１０２０等の処理モジュール等の関連付けられるコンポーネントを含む。通信の分野の当業者に明白であろうように、通信サブシステム１０１１の特定の設計は、ユーザ機器が動作するように意図されている通信ネットワークに依存するであろう。
【０１８３】
ネットワークアクセス要件も、ネットワーク１０１９のタイプに応じて変動するであろう。いくつかのネットワークでは、ネットワークアクセスは、ユーザ機器１０００のサブスクライバまたはユーザに関連付けられる。ユーザ機器は、ネットワーク上で動作するために、組み込みもしくはリムーバブルユーザ識別モジュール（ＲＵＩＭ）、またはサブスクライバ識別モジュール（ＳＩＭ）カードもしくはＵＭＴＳ  ＳＩＭ（ＵＳＩＭ）を要求し得る。ＵＳＩＭ／ＳＩＭ／ＲＵＩＭインターフェース１０４４は、通常、ＵＳＩＭ／ＳＩＭ／ＲＵＩＭカードが挿入および吐出され得るカードスロットに類似する。ＵＳＩＭ／ＳＩＭ／ＲＵＩＭカードは、メモリを有し、多くのキー構成１０５１、識別およびサブスクライバ関連情報等の他の情報１０５３を保持することができる。他の場合、ネットワーク１０１９ではなく、ユーザ機器１０００は、車両、路側インフラストラクチャ、別のユーザ機器、または他のピアツーピア通信等の非アクセスノードと通信し得る。
【０１８４】
要求されるネットワーク登録またはアクティブ化プロシージャが完了されると、ユーザ機器１０００は、ネットワーク１０１９を経由して、通信信号を送信および受信し得る。図１０に図示されるように、ネットワーク１０１９は、モバイルデバイスと通信する複数の基地局を含むことができる。
【０１８５】
アンテナ１０１６によって通信ネットワーク１０１９を通して受信された信号は、受信機１０１２に入力され、それは、信号増幅、周波数下方変換、フィルタリング、チャネル選択等の共通受信機機能を果たし得る。受信された信号のアナログ／デジタル（Ａ／Ｄ）変換は、復調およびデコード等のより複雑な通信機能がＤＳＰ１０１０内で果たされることを可能にする。同様に、伝送されるべき信号は、変調およびエンコードを含み、例えば、ＤＳＰ１０２０によって処理され、アンテナ１０１８を介した通信ネットワーク１０１９を経由して、デジタル／アナログ（Ｄ／Ａ）変換、周波数上方変換、フィルタリング、増幅、および伝送のために、送信機１０１４に入力される。ＤＳＰ１０２０は、通信信号を処理するだけではなく、受信機および送信機制御も提供する。例えば、受信機１０１２および送信機１０１４内の通信信号に適用される利得は、ＤＳＰ１０２０で実装される自動利得制御アルゴリズムを通して、適応的に制御され得る。
【０１８６】
ユーザ機器１０００は、概して、デバイスの全体的動作を制御するプロセッサ１０３８を含む。データおよび音声通信を含む通信機能は、通信サブシステム１０１１を通して果たされる。プロセッサ１０３８は、ディスプレイ１０２２、フラッシュメモリ１０２４、ランダムアクセスメモリ（ＲＡＭ）１０２６、補助入力／出力（Ｉ／Ｏ）サブシステム１０２８、シリアルポート１０３０、１つ以上のキーボードもしくはキーパッド１０３２、スピーカ１０３４、マイクロホン１０３６、短距離通信サブシステムまたはＤＳＲＣサブシステム等の他の通信サブシステム１０４０、および概して１０４２として指定される任意の他のデバイスサブシステム等のさらなるデバイスサブシステムとも相互作用する。シリアルポート１０３０は、ＵＳＢポート、車載診断（ＯＢＤ）ポート、または当業者に知られている他のポートを含み得る。
【０１８７】
図１０に示されるサブシステムのうちのいくつかが、通信関連機能を果たす一方で、他のサブシステムは、「常駐」またはデバイス上機能を提供し得る。着目すべきこととして、キーボード１０３２およびディスプレイ１０２２等のいくつかのサブシステムは、例えば、通信ネットワークを経由した伝送のためにテキストメッセージを入力すること等の通信関連機能、および計算機またはタスクリスト等のデバイス常駐機能の両方のために使用され得る。
【０１８８】
プロセッサ１０３８によって使用されるオペレーティングシステムソフトウェアは、代わりに、読み取り専用メモリ（ＲＯＭ）または類似記憶装置要素（図示せず）であり得るフラッシュメモリ１０２４等の持続的記憶装置に記憶され得る。当業者は、オペレーティングシステム、特定のデバイスアプリケーション、またはその一部が、一時的に、ＲＡＭ１０２６等の揮発性メモリの中にロードされ得ることを理解するであろう。受信された通信信号も、ＲＡＭ１０２６に記憶され得る。
【０１８９】
示されるように、フラッシュメモリ１０２４は、コンピュータプログラム１０５８とプログラムデータ記憶装置１０５０、１０５２、１０５４、および１０５６との両方のために、異なるエリアに分離されることができる。これらの異なる記憶装置タイプは、各プログラムがそれら自身のデータ記憶要件のために、フラッシュメモリ１０２４の一部を配分し得ることを示す。プロセッサ１０３８は、そのオペレーティングシステム機能に加えて、ユーザ機器上のソフトウェアアプリケーションの実行を可能にし得る。例えば、潜在的にデータおよび音声通信アプリケーションを含む基本動作を制御するアプリケーションの所定の組が、通常、製造中にユーザ機器１０００上にインストールされるであろう。他のアプリケーションも、続いて、または動的に、インストールされ得る。
【０１９０】
アプリケーションおよびソフトウェアは、任意のコンピュータ読み取り可能な記憶媒体上に記憶され得る。コンピュータ読み取り可能な記憶媒体は、光学（例えば、ＣＤ、ＤＶＤ等）、磁気（例えば、テープ）、または当技術分野で公知である他のメモリ等の有形または一過性／非一過性媒体であり得る。
【０１９１】
１つのソフトウェアアプリケーションは、限定ではないが、電子メール、メッセージ、カレンダイベント、音声メール、予約、およびタスクアイテム等のユーザ機器のユーザに関連するデータアイテムを編成および管理する能力を有するパーソナル情報マネージャ（ＰＩＭ）アプリケーションであり得る。とりわけ、生産性アプリケーション、ソーシャルメディアアプリケーション、ゲームを含むさらなるアプリケーションも、ネットワーク１０１９、補助Ｉ／Ｏサブシステム１０２８、シリアルポート１０３０、短距離通信サブシステム１０４０または任意の他の好適なサブシステム１０４２を通して、ユーザ機器１０００上にロードされ、プロセッサ１０３８による実行のために、ユーザによって、ＲＡＭ１０２６または不揮発性記憶装置（図示せず）内にインストールされ得る。アプリケーションインストールにおけるそのような柔軟性は、デバイスの機能性を増加させ、向上されたデバイス上機能、通信関連機能、または両方を提供し得る。
【０１９２】
データ通信モードにおいて、テキストメッセージまたはウェブページダウンロード等の受信された信号は、通信サブシステム１０１１によって処理され、プロセッサ１０３８に入力され、これはさらに、ディスプレイ１０２２へ、または代替として補助Ｉ／Ｏデバイス１０２８への出力のために、受信された信号を処理し得る。
【０１９３】
ユーザ機器１０００のユーザは、例えば、とりわけ、ディスプレイ１０２２および可能性として補助Ｉ／Ｏデバイス１０２８と併せて、物理的または仮想のいずれかの完全英数字キーボードまたは電話タイプキーパッドであり得るキーボード１０３２も使用して、メッセージ等のデータアイテムを構成し得る。そのような構成されたアイテムは、次いで、通信ネットワークを経由して、通信サブシステム１０１１を通して伝送され得る。
【０１９４】
音声通信が提供される場合、ユーザ機器１０００の全体的動作は、受信された信号が、典型的に、スピーカ１０３４に出力され得、伝送のための信号は、マイクロホン１０３６によって生成され得ることを除いて、類似する。音声メッセージ記録サブシステム等の代替音声またはオーディオＩ／Ｏサブシステムも、ユーザ機器１０００上に実装され得る。音声またはオーディオ信号出力は、好ましくは、主に、スピーカ１０３４を通して遂行されるが、ディスプレイ１０２２も、例えば、発呼当事者の識別の指示、音声通話の持続時間、または他の音声通話関連情報を提供するために使用され得る。
【０１９５】
図１０におけるシリアルポート１０３０は、ユーザのデスクトップコンピュータ（図示せず）との同期が望ましくあり得るユーザ機器で実装され得るが、随意のデバイスコンポーネントである。そのようなポート１０３０は、ユーザが、外部デバイスまたはソフトウェアアプリケーションを通して、選好を設定することを可能にし得、無線通信ネットワークを通した以外にユーザ機器１０００に情報またはソフトウェアダウンロードを提供することによって、ユーザ機器１０００の能力を拡張し得る。当業者によって理解されるであろうように、シリアルポート１０３０はさらに、ユーザ機器をコンピュータに接続し、モデムとして作用するか、または、ユーザ機器上のバッテリを充電するために使用されることができる。
【０１９６】
短距離通信サブシステム等の他の通信サブシステム１０４０は、必ずしも類似デバイスである必要はないユーザ機器１０００と異なるシステムまたはデバイスとの間の通信を提供し得るさらなるコンポーネントである。例えば、サブシステム１０４０は、赤外線デバイス、および関連付けられる回路ならびにコンポーネント、またはＢｌｕｅｔｏｏｔｈ（登録商標）もしくはＢｌｕｅｔｏｏｔｈ（登録商標）低エネルギー通信モジュールを含み、同様に有効にされたシステムおよびデバイスとの通信を提供し得る。サブシステム１０４０はさらに、ＷＵＲ無線を含み得る。サブシステム１０４０は、ＤＳＲＣ無線をさらに含み得る。サブシステム１０４０は、Ｗｉ−ＦｉまたはＷｉＭＡＸ等の非セルラー通信、もしくは近距離通信をさらに含み得、上記の実施形態によると、そのような無線は、いくつかの状況では分割されることが可能であり得る。
【０１９７】
上で説明されるネットワーク要素は、任意のコンピューティングデバイスまたはコンピューティングデバイスの組み合わせを使用することができる。１つの例示的コンピューティングデバイスが、図１１に関して示される。ネットワーク要素１１１０は、プロセッサ１１２０と、通信サブシステム１１３０とを含み、プロセッサ１１２０および通信サブシステム１１３０は、協力して、本明細書に説明される実施形態の方法を実施する。
【０１９８】
プロセッサ１１２０は、データとともに、ネットワーク要素１１１０上に記憶され、メモリ１１４０として図１１の例に示され得るプログラマブル論理を実行するように構成される。メモリ１１４０は、光学（例えば、ＣＤ、ＤＶＤ等）、磁気（例えば、テープ）、フラッシュドライブ、ハードドライブ、または当技術分野で公知である他のメモリ等の任意の有形の非一過性コンピュータ読み取り可能な記憶媒体であり得る。
【０１９９】
代替として、またはメモリ１１４０に加えて、サーバ１１１０は、例えば、通信サブシステム１１３０を通して、外部記憶媒体からデータまたはプログラマブル論理にアクセスし得る。
【０２００】
通信サブシステム１１３０は、サーバ１１１０が他のデバイスまたはネットワーク要素と通信することを可能にする。
【０２０１】
サーバ１１１０の種々の要素の間の通信は、一実施形態において、内部バス１１６０を通し得る。しかしながら、他の形態の通信も可能である。
【０２０２】
本明細書に説明される実施形態は、本願の技法の要素に対応する要素を有する構造、システム、または方法の例である。本記載の説明は、当業者が、同様に本願の技法の要素に対応する代替要素を有する実施形態を作製および使用することを可能にし得る。本願の技法の意図される範囲は、したがって、本明細書に説明されるような本願の技法と異ならない、他の構造、システム、または方法を含み、さらに、本明細書に説明されるような本願の技法とごくわずかな差異を伴う、他の構造、システム、または方法を含む。
【０２０３】
動作は、特定の順序で図面に描写されるが、それは、そのような動作が示される特定の順序または連続順序で実施されること、もしくは全ての図示される動作が望ましい結果を達成するために実施されることを要求するものとして理解されるべきではない。ある状況では、マルチタスクおよび並列処理が、採用され得る。さらに、上で説明される実装における種々のシステムコンポーネントの分離は、全ての実装においてそのような分離を要求するものとして理解されるべきではなく、説明されるプログラムコンポーネントおよびシステムは、概して、信号ソフトウェア製品内にともに統合されるか、または、複数のソフトウェア製品の中にパッケージ化され得ることを理解されたい。
【０２０４】
さらに、別々または別個として種々の実装に説明および図示される、技法、システム、サブシステム、および方法は、他のシステム、モジュール、技法、または方法と組み合わせられ、または統合され得る。結合または直接結合される、または互いに通信するものとして、図示または議論される他のアイテムは、電気的、機械的、または別様であるかどうかにかかわらず、いくつかのインターフェース、デバイス、または中間コンポーネントを通して、間接的に結合されるか、または、通信し得る。変更、代用、および改変の他の例が、当業者によって確認可能であり、行われ得る。
【０２０５】
上記の詳細な説明は、種々の実装に適用されるような本開示の基本新規特徴を示し、説明し、指摘したが、図示されるシステムの形態および詳細の種々の省略、代用、および変更が、当業者によって行われ得ることを理解されたい。加えて、方法ステップの順序は、それらが請求項内で表出する順序によって含意されない。
【０２０６】
メッセージが、電子デバイスへ／から送信されるとき、そのような動作は、即座またはサーバから直接ではないこともある。それらは、同期して、または非同期して、サーバまたは本明細書に説明されるデバイス／方法／システムをサポートする他のコンピューティングシステムインフラストラクチャから配信され得る。前述のステップは、全体または部分的に、デバイス／インフラストラクチャへ／からの同期／非同期通信を含み得る。また、電子デバイスからの通信は、ネットワーク上の１つ以上のエンドポイントまでであり得る。これらのエンドポイントは、サーバ、分散型コンピューティングシステム、ストリームプロセッサ等によってサービス提供され得る。コンテンツ配信ネットワーク（ＣＤＮ）も、電子デバイスへの通信を提供し得る。例えば、典型的サーバ応答ではなく、サーバはまた、コンテンツ配信ネットワーク（ＣＤＮ）が電子デバイスの後続アクティビティ等の後の時間における電子デバイスによるダウンロードを待機するためのデータをプロビジョニングするか、または、示し得る。したがって、データは、直接、サーバ、または分散型インフラストラクチャ等の他のインフラストラクチャ、もしくはＣＤＮから、システムの一部として、またはそれと別個に、送信され得る。
【０２０７】
典型的に、記憶媒体は、以下のうちのいずれかまたはある組み合わせ、すなわち、動的または静的ランダムアクセスメモリ（ＤＲＡＭまたはＳＲＡＭ）、消去可能プログラマブル読み取り専用メモリ（ＥＰＲＯＭ）、電気的消去可能プログラマブル読み取り専用メモリ（ＥＥＰＲＯＭ）、およびフラッシュメモリ等の半導体メモリデバイス、固定、フロッピー（登録商標）、およびリムーバブルディスク等の磁気ディスク、テープを含む別の磁気媒体、コンパクトディスク（ＣＤ）またはデジタルビデオディスク（ＤＶＤ）等の光学媒体、もしくは別のタイプの記憶デバイスを含むことができる。上で議論される命令は、１つのコンピュータ読み取り可能なもしくは機械読み取り可能な記憶媒体上に提供され得るか、または、代替として、可能性として複数のノードを有する大型システム内に分散される複数のコンピュータ読み取り可能なもしくは機械読み取り可能な記憶媒体上に提供される得ることに留意されたい。そのようなコンピュータ読み取り可能なまたは機械読み取り可能な記憶媒体もしくは複数の媒体は、物品（または製造品）の一部と見なされる。物品または製造品は、任意の製造された単一のコンポーネントまたは複数のコンポーネントを指し得る。記憶媒体または複数の媒体は、機械読み取り可能な命令を起動させる機械の中に位置するか、またはそこから機械読み取り可能な命令が実行のためにネットワークを経由してダウンロードされ得る遠隔施設に位置するかのいずれかであり得る。
【０２０８】
前述の説明では、多数の詳細が、本明細書に開示される主題の理解を提供するために記載される。しかしながら、実装は、これらの詳細のうちのいくつかを伴わずに実践され得る。他の実装は、上で議論される詳細からの修正および変形例を含み得る。添付の請求項は、そのような修正および変形例を網羅することが意図される。
【０２０９】
本開示のさらなる側面が、以下の付記で提供される。
【０２１０】
Ａ．ユーザ機器（ＵＥ）において公衆陸上移動ネットワーク（ＰＬＭＮ）を選択する方法であって、方法は、ネットワークエンティティから、ＰＬＭＮ識別子のリストを受信することと、ＰＬＭＮ識別子のリストからの少なくとも１つのＰＬＭＮ識別子を使用して、ＵＥをネットワークに登録しようとすることと、ネットワークに登録する試行が成功した場合、ＰＬＭＮ識別子に関連付けられたインターネットプロトコル（ＩＰ）マルチメディアサブシステム（ＩＭＳ）へのセッション開始プロトコル（ＳＩＰ）登録を実施することとを含む、方法。
【０２１１】
Ｂ．受信することに先立って、第１のトリガ条件が満たされたことを決定することと、ネットワークエンティティにメッセージを伝送することとをさらに含み、メッセージは、第１のトリガ条件が満たされたという指示およびＵＥの場所情報のうちの少なくとも１つを備えている、付記Ａに記載の方法。
【０２１２】
Ｃ．ＩＭＳは、ミッションクリティカル（ＭＣ）システムに関連付けられている、付記Ａに記載の方法。
【０２１３】
Ｄ．ＭＣシステムは、パートナーＭＣシステムであり、ＵＥの一次ＭＣシステムとは異なるパートナーＭＣシステムである、付記Ｃに記載の方法。
【０２１４】
Ｅ．ＵＥは、ＭＣサービスＵＥである、付記Ａに記載の方法。
【０２１５】
Ｆ．ＵＥのユニバーサル集積回路カード（ＵＩＣＣ）のアプリケーションにおいて少なくとも１つのＰＬＭＮ識別子を記憶することをさらに含む、付記Ａに記載の方法。
【０２１６】
Ｇ．ネットワークエンティティは、構成管理サーバである、付記Ｄに記載の方法。
【０２１７】
Ｈ．構成管理サーバは、一次ＭＣシステム内にある、付記Ｇに記載の方法。
【０２１８】
Ｉ．構成管理サーバは、パートナーＭＣシステム内にある、付記Ｇに記載の方法。
【０２１９】
Ｊ．ＰＬＭＮ識別子のサブセットを作成することをさらに含み、サブセットは、ＰＬＭＮ識別子のリストからのユーザ機器に利用可能であるＰＬＭＮ識別子を備えている、付記Ａに記載の方法。
【０２２０】
Ｋ．ネットワークエンティティは、識別管理サーバである、付記Ｄに記載の方法。
【０２２１】
Ｌ．識別管理サーバは、一次ＭＣシステム内にある、付記Ｋに記載の方法。
【０２２２】
Ｍ．識別管理サーバは、パートナーＭＣシステム内にある、付記Ｋに記載の方法。
【０２２３】
Ｎ．登録しようとすることは、登録が成功するまで、サブセットからの各ＰＬＭＮ識別子を連続的に使用する、付記Ｊに記載の方法。
【０２２４】
Ｏ．第１のトリガ条件は、ＵＥがＰＬＭＮを変更すること、タイマが満了すること、ＵＥのＰＬＭＮがＵＥに利用可能でなくなること、およびＵＥがパートナーＭＣシステムへの移行を実施するための指示を受信することのうちの少なくとも１つである、付記Ｂに記載の方法。
【０２２５】
Ｐ．記憶することに先立って、ＵＥのユニバーサル携帯電話通信システム（ＵＭＴＳ）サブスクライバ識別モジュール（ＵＳＩＭ）が、ＰＬＭＮ識別子がデータ投入されることが可能な少なくとも１つのフィールドを有することを決定することをさらに含む、付記Ｆに記載の方法。
【０２２６】
Ｑ．作成することに先立って、ＵＥのユニバーサル携帯電話通信システム（ＵＭＴＳ）サブスクライバ識別モジュール（ＵＳＩＭ）が、ＰＬＭＮ識別子がデータ投入されることが可能な少なくとも１つのフィールドを有していないことを決定することをさらに含む、付記Ｊに記載の方法。
【０２２７】
Ｒ．メッセージは、ＵＥにおいて利用可能なＰＬＭＮのリストをさらに備えている、付記Ｂに記載の方法。
【０２２８】
Ｓ．記憶することに先立って、ＵＩＣＣアプリケーションから少なくとも１つのフィールドの値を保存することと、第２のトリガ条件が満たされたことを決定することと、決定することの後、少なくとも１つのフィールドに保存された値を記憶することとをさらに含む、付記Ｆに記載の方法。
【０２２９】
Ｔ．プロセッサと、通信サブシステムとを備えているユーザ機器（ＵＥ）であって、プロセッサと通信サブシステムとは、ネットワークエンティティから、ＰＬＭＮ識別子のリストを受信することと、ＰＬＭＮ識別子のリストからの少なくとも１つのＰＬＭＮ識別子を使用して、ＵＥをネットワークに登録しようとすることと、ネットワークに登録する試行が成功した場合、ＰＬＭＮ識別子に関連付けられたインターネットプロトコル（ＩＰ）マルチメディアサブシステム（ＩＭＳ）へのセッション開始プロトコル（ＳＩＰ）登録を実施することとを行うために協力する、ＵＥ。
【０２３０】
Ｕ．プロセッサと通信サブシステムとは、受信することに先立って、第１のトリガ条件が満たされたことを決定することと、ネットワークエンティティにメッセージを伝送することとを行うためにさらに協力し、メッセージは、第１のトリガ条件が満たされたという指示およびＵＥの場所情報のうちの少なくとも１つを備えている、付記Ｔに記載のＵＥ。
【０２３１】
Ｖ．ＩＭＳは、ミッションクリティカル（ＭＣ）システムに関連付けられている、付記Ｔに記載のＵＥ。
【０２３２】
Ｗ．ＭＣシステムは、パートナーＭＣシステムであり、ＵＥの一次ＭＣシステムとは異なるパートナーＭＣシステムである、付記Ｖに記載のＵＥ。
【０２３３】
Ｘ．ＵＥは、ＭＣサービスＵＥである、付記Ｔに記載のＵＥ。
【０２３４】
Ｙ．プロセッサと通信サブシステムとは、ＵＥのユニバーサル集積回路カード（ＵＩＣＣ）のアプリケーションにおいて少なくとも１つのＰＬＭＮ識別子を記憶するためにさらに協力する、付記Ｔに記載のＵＥ。
【０２３５】
Ｚ．ネットワークエンティティは、構成管理サーバである、付記Ｗに記載のＵＥ。
【０２３６】
ＡＡ．構成管理サーバは、一次ＭＣシステム内にある、付記Ｚに記載のＵＥ。
【０２３７】
ＢＢ．構成管理サーバは、パートナーＭＣシステム内にある、付記Ｚに記載のＵＥ。
【０２３８】
ＣＣ．プロセッサと通信サブシステムとは、ＰＬＭＮ識別子のサブセットを作成するためにさらに協力し、サブセットは、ＰＬＭＮ識別子のリストからのユーザ機器に利用可能であるＰＬＭＮ識別子を備えている、付記Ｔに記載のＵＥ。
【０２３９】
ＤＤ．ネットワークエンティティは、識別管理サーバである、付記Ｗに記載のＵＥ。
【０２４０】
ＥＥ．識別管理サーバは、一次ＭＣシステム内にある、付記ＤＤに記載のＵＥ。
【０２４１】
ＦＦ．識別管理サーバは、パートナーＭＣシステム内にある、付記ＤＤに記載のＵＥ。
【０２４２】
ＧＧ．登録しようとすることは、登録が成功するまで、サブセットからの各ＰＬＭＮ識別子を連続的に使用する、付記ＣＣに記載のＵＥ。
【０２４３】
ＨＨ．第１のトリガ条件は、ＵＥがＰＬＭＮを変更すること、タイマが満了すること、ＵＥのＰＬＭＮがＵＥに利用可能でなくなること、およびＵＥがパートナーＭＣシステムへの移行を実施するための指示を受信することのうちの少なくとも１つである、付記Ｕに記載のＵＥ。
【０２４４】
ＩＩ．プロセッサと通信サブシステムとは、記憶することに先立って、ＵＥのユニバーサル携帯電話通信システム（ＵＭＴＳ）サブスクライバ識別モジュール（ＵＳＩＭ）が、ＰＬＭＮ識別子がデータ投入されることが可能な少なくとも１つのフィールドを有することを決定するためにさらに協力する、付記Ｙに記載のＵＥ。
【０２４５】
ＪＪ．プロセッサと通信サブシステムとは、作成することに先立って、ＵＥのユニバーサル携帯電話通信システム（ＵＭＴＳ）サブスクライバ識別モジュール（ＵＳＩＭ）が、ＰＬＭＮ識別子がデータ投入されることが可能な少なくとも１つのフィールドを有していないことを決定するためにさらに協力する、付記ＣＣに記載のＵＥ。
【０２４６】
ＫＫ．メッセージは、ＵＥにおいて利用可能なＰＬＭＮのリストをさらに備えている、付記Ｕに記載のＵＥ。
【０２４７】
ＬＬ．プロセッサと通信サブシステムとは、記憶することに先立って、ＵＩＣＣアプリケーションから少なくとも１つのフィールドの値を保存することと、第２のトリガ条件が満たされたことを決定することと、決定することの後、少なくとも１つのフィールドに保存された値を記憶することとを行うためにさらに協力する、付記Ｙに記載のＵＥ。
【０２４８】
ＭＭ．ユーザ機器（ＵＥ）のプロセッサによる実行のためのコンピュータ実行可能コードを記憶している非一過性のコンピュータ読み取り可能な媒体であって、コードは、ネットワークエンティティから、ＰＬＭＮ識別子のリストを受信するための命令と、ＰＬＭＮ識別子のリストからの少なくとも１つのＰＬＭＮ識別子を使用して、ＵＥをネットワークに登録しようとするための命令と、ネットワークに登録する試行が成功した場合、ＰＬＭＮ識別子に関連付けられたインターネットプロトコル（ＩＰ）マルチメディアサブシステム（ＩＭＳ）へのセッション開始プロトコル（ＳＩＰ）登録を実施するための命令とを備えている。
【０２４９】
ＮＮ．コードは、受信することに先立って、第１のトリガ条件が満たされたことを決定するための命令と、ネットワークエンティティにメッセージを伝送するための命令とをさらに備え、メッセージは、第１のトリガ条件が満たされたという指示およびＵＥの場所情報のうちの少なくとも１つを備えている、付記ＭＭに記載の非一過性のコンピュータ読み取り可能な媒体。
【０２５０】
ＯＯ．ＩＭＳは、ミッションクリティカル（ＭＣ）システムに関連付けられている、付記ＭＭに記載の非一過性のコンピュータ読み取り可能な媒体。
【０２５１】
ＰＰ．ＭＣシステムは、パートナーＭＣシステムであり、ＵＥの一次ＭＣシステムとは異なるパートナーＭＣシステムである、付記ＯＯに記載の非一過性のコンピュータ読み取り可能な媒体。
【０２５２】
ＱＱ．ＵＥは、ＭＣサービスＵＥである、付記ＭＭに記載の非一過性のコンピュータ読み取り可能な媒体。
【０２５３】
ＲＲ．コードは、ＵＥのユニバーサル集積回路カード（ＵＩＣＣ）のアプリケーションにおいて少なくとも１つのＰＬＭＮ識別子を記憶するための命令をさらに備えている、付記ＭＭに記載の非一過性のコンピュータ読み取り可能な媒体。
【０２５４】
ＳＳ．ネットワークエンティティは、構成管理サーバである、付記ＰＰに記載の非一過性のコンピュータ読み取り可能な媒体。
【０２５５】
ＴＴ．構成管理サーバは、一次ＭＣシステム内にある、付記ＳＳに記載の非一過性のコンピュータ読み取り可能な媒体。
【０２５６】
ＵＵ．構成管理サーバは、パートナーＭＣシステム内にある、付記ＳＳに記載の非一過性のコンピュータ読み取り可能な媒体。
【０２５７】
ＶＶ．コードは、ＰＬＭＮ識別子のサブセットを作成するための命令をさらに備え、サブセットは、ＰＬＭＮ識別子のリストからのユーザ機器に利用可能であるＰＬＭＮ識別子を備えている、付記ＭＭに記載の非一過性のコンピュータ読み取り可能な媒体。
【０２５８】
ＷＷ．ネットワークエンティティは、識別管理サーバである、付記ＰＰに記載の非一過性のコンピュータ読み取り可能な媒体。
【０２５９】
ＸＸ．識別管理サーバは、一次ＭＣシステム内にある、付記ＷＷに記載の非一過性のコンピュータ読み取り可能な媒体。
【０２６０】
ＹＹ．識別管理サーバは、パートナーＭＣシステム内にある、付記ＷＷに記載の非一過性のコンピュータ読み取り可能な媒体。
【０２６１】
ＺＺ．登録しようとすることは、登録が成功するまで、サブセットからの各ＰＬＭＮ識別子を連続的に使用する、付記ＶＶに記載の非一過性のコンピュータ読み取り可能な媒体。
【０２６２】
ＡＡＡ．第１のトリガ条件は、ＵＥがＰＬＭＮを変更すること、タイマが満了すること、ＵＥのＰＬＭＮがＵＥに利用可能でなくなること、およびＵＥがパートナーＭＣシステムへの移行を実施するための指示を受信することのうちの少なくとも１つである、付記ＮＮに記載の非一過性のコンピュータ読み取り可能な媒体。
【０２６３】
ＢＢＢ．コードは、記憶することに先立って、ＵＥのユニバーサル携帯電話通信システム（ＵＭＴＳ）サブスクライバ識別モジュール（ＵＳＩＭ）が、ＰＬＭＮ識別子がデータ投入されることが可能な少なくとも１つのフィールドを有することを決定するための命令をさらに備えている、付記ＲＲに記載の非一過性のコンピュータ読み取り可能な媒体。
【０２６４】
ＣＣＣ．コードは、作成することに先立って、ＵＥのユニバーサル携帯電話通信システム（ＵＭＴＳ）サブスクライバ識別モジュール（ＵＳＩＭ）が、ＰＬＭＮ識別子がデータ投入されることが可能な少なくとも１つのフィールドを有していないことを決定するための命令をさらに備えている、付記ＶＶに記載の非一過性のコンピュータ読み取り可能な媒体。
【０２６５】
ＤＤＤ．メッセージはさらに、ＵＥにおいて利用可能なＰＬＭＮのリストを備えている、付記ＮＮに記載の非一過性のコンピュータ読み取り可能な媒体。
【０２６６】
ＥＥＥ．コードは、記憶することに先立って、ＵＩＣＣアプリケーションから少なくとも１つのフィールドの値を保存するための命令と、第２のトリガ条件が満たされたことを決定するための命令と、決定することの後、少なくとも１つのフィールドに保存された値を記憶するための命令とをさらに備えている、付記ＳＳに記載の非一過性のコンピュータ読み取り可能な媒体。
【０２６７】
ＦＦＦ．ネットワーク要素における方法であって、方法は、ユーザ機器（ＵＥ）から、メッセージを受信することであって、メッセージは、ＵＥがパートナーＭＣシステムに移行することを望むことの指示およびＵＥの場所のうちの少なくとも１つを備えている、ことと、公衆陸上移動ネットワーク（ＰＬＭＮ）識別子のリストを決定することであって、各ＰＬＭＮ識別子は、パートナーＭＣシステムに関連付けられたＰＬＭＮを識別する、ことと、ＰＬＭＮ識別子のリストをＵＥに伝送することとを含む、方法。
【０２６８】
ＧＧＧ．メッセージは、ＭＣ  ＵＥのための場所情報を備えている、付記ＦＦＦに記載の方法。
【０２６９】
ＨＨＨ．メッセージは、ＵＥにおいて利用可能なＰＬＭＮのリストを備えている、付記ＦＦＦに記載の方法。
【０２７０】
ＩＩＩ．メッセージは、パートナーＭＣシステムの識別子を備えている、付記ＦＦＦに記載の方法。
【０２７１】
ＪＪＪ．ネットワーク要素は、ＵＥのための一次ＭＣシステムの一部である、付記ＦＦＦに記載の方法。
【０２７２】
ＫＫＫ．パートナーＭＣシステムへのＵＥのアクセスを可能にするための要求をパートナーＭＣシステムのサーバに送信することをさらに含む、付記ＪＪＪに記載の方法。
【０２７３】
ＬＬＬ．要求は、ＵＥに関連付けられたＭＣ  ＩＤ、一次ＭＣシステムの移行管理サーバの識別子、一次ＭＣシステムのセッション開始プロトコル（ＳＩＰ）識別、および、ＵＥに利用可能であるＰＬＭＮおよび無線アクセス技術（ＲＡＴ）の指示のうちの少なくとも１つを備えている、付記ＫＫＫに記載の方法。
【０２７４】
ＭＭＭ．パートナーＭＣシステムのサーバから、ＰＬＭＮ識別子のリストを受信することをさらに含む、付記ＫＫＫに記載の方法。
【０２７５】
ＮＮＮ．ＭＣ  ＵＥのための場所情報に基づいて、パートナーＭＣシステムを決定することをさらに含む、付記ＦＦＦに記載の方法。
【０２７６】
ＯＯＯ．ＭＣサーバは、パートナーＭＣシステムの一部である、付記ＦＦＦに記載の方法。
【０２７７】
ＰＰＰ．ユーザ機器（ＵＥ）における方法であって、方法は、ミッションクリティカル（ＭＣ）サービスのための１つ以上の公衆陸上移動ネットワーク（ＰＬＭＮ）識別子を検出することと、ＭＣサービスにアクセスするためのＰＬＭＮ選択の必要性を決定することと、現在の登録公衆陸上移動ネットワーク（ＲＰＬＭＮ）の第１の値および現在のＰＬＭＮ選択モードの第２の値を記憶することと、ＰＬＭＮ選択の自動モードに入ることと、ＰＬＭＮを選択することであって、選択されたＰＬＭＮの識別子は、ＭＣサービスのＰＬＭＮ識別子に由来する、こととを含む、方法。
【０２７８】
ＱＱＱ．検出することは、ネットワーク要素から、ＭＣサービスのためのＰＬＭＮ識別子のリストを受信することを含む、付記ＰＰＰに記載の方法。
【０２７９】
ＲＲＲ．ＰＬＭＮのネットワークに登録しようとすることと、ＰＬＭＮのネットワークに登録する試行の後、ＰＬＭＮのネットワークを使用して、インターネットプロトコル（ＩＰ）マルチメディアサブシステム（ＩＭＳ）へのセッション開始プロトコル（ＳＩＰ）登録を実施することとをさらに含む、付記ＰＰＰに記載の方法。
【０２８０】
ＳＳＳ．ネットワーク要素は、ＵＥのための一次ＭＣシステム内にある、付記ＱＱＱに記載の方法。
【０２８１】
ＴＴＴ．ネットワーク要素は、ＵＥのためのパートナーＭＣシステム内にある、付記ＱＱＱに記載の方法。
（付属書Ａ）
（Ａ．１  ３ＧＰＰ  ＴＳ  ３３．１８０への提案される変更）
【表２−１】
2021503822.tif 000004
【表２−２】
2021503822.tif 000005
【表２−３】
2021503822.tif 000006
（付属書Ｂ）
（３ＧＰＰ  ＴＳ  ２３．１２２への提案される変更）
【表３−１】
2021503822.tif 000007
【表３−２】
2021503822.tif 000008
（付属書Ｃ）
（Ａ．３  ３ＧＰＰ  ＴＳ  ２４．３７９への提案される変更）
（Ａ．３．１  代替案１）
【表４−１】
2021503822.tif 000009
ＵＥが好ましいＰＬＭＮを使用することを意図することは、ＵＥがミッションクリティカルサービスのために好ましい少なくとも１つのＰＬＭＮを伴うリストを有するかどうかをチェックすることをさらに含むことができる。ＵＥが好ましいＰＬＭＮを使用することを意図することは、ＵＥの下層から、無線リソースを使用して動作する１つ以上のＰＬＭＮが利用可能であるというレポートを受信することと、無線リソースを使用して動作する１つ以上のＰＬＭＮのうちの１つ以上のものが、少なくとも１つの好ましいＰＬＭＮを伴うリスト上のＰＬＭＮと合致するかどうかをチェックすることとをさらに含むことができる。無線リソースを使用して動作するＰＬＭＮは、セルを介して利用可能なＰＬＭＮをさらに備えていることができる。ＵＥが好ましいＰＬＭＮを使用することを意図することは、ユーザが好ましいＰＬＭＮを使用することを望むことの指示を受信することをさらに含むことができる。
（Ａ．３．２  代替案２）
【表４−２】
2021503822.tif 000010
ＵＥがパートナーＭＣシステムに移行することを意図することは、ＵＥがパートナーＭＣシステムへのアクセスを可能にする少なくとも１つのＰＬＭＮを伴うリストを有するかどうかをチェックすることをさらに含むことができる。ＵＥがパートナーＭＣシステムに移行することを意図することは、ＵＥの下層から、無線リソースを使用して動作する１つ以上のＰＬＭＮが利用可能であるというレポートを受信することと、無線リソースを使用して動作する１つ以上のＰＬＭＮのうちの１つ以上のものが、パートナーＭＣシステムへのアクセスを可能にする少なくとも１つのＰＬＭＮを伴うリスト上のＰＬＭＮと合致するかどうかをチェックすることとをさらに含むことができる。無線リソースを使用して動作するＰＬＭＮは、セルを介して利用可能なＰＬＭＮをさらに備えていることができる。ＵＥがパートナーＭＣシステムに移行することを意図することは、ユーザがパートナーＭＣシステムに移行することを望むことの指示を受信することをさらに含むことができる。
【図１】
2021503822.tif 000011
【図２】
2021503822.tif 000012
【図３】
2021503822.tif 000013
【図４】
2021503822.tif 000014
【図５】
2021503822.tif 000015
【図６】
2021503822.tif 000016
【図７】
2021503822.tif 000017
【図８】
2021503822.tif 000018
【図９】
2021503822.tif 000019
【図１０】
2021503822.tif 000020
【図１１】
2021503822.tif 000021
【図１２Ａ】
2021503822.tif 000022
【図１２Ｂ】
2021503822.tif 000023
【国際調査報告】
2021503822.tif 000024
2021503822.tif 000025
2021503822.tif 000026
2021503822.tif 000027
2021503822.tif 000028